(57)【要約】【課題】無線通信システムにおいてアップリンクチャネルを送受信する方法及びそのための装置を提供する。【解決手段】無線通信システムにおいて、端末がアップリンクチャネルを送信する方法は、基地局から、ＣＳＩ報告のための第１タイミングオフセット及びアップリンクデータの送信のための第２タイミングオフセットの少なくとも１つを指示する情報を受信するステップと、特定タイミングオフセット値に応じて設定されたリソース領域において、アップリンクデータチャネルを前記基地局に送信するステップとを含む。この場合、前記特定タイミングオフセット値は、前記アップリンクデータチャネルに割り当てられた情報の類型に応じて、前記第１タイミングオフセット及び前記第２タイミングオフセットの少なくとも１つを適用して設定される。【選択図】図１０
2020523855.tif 000002
【特許請求の範囲】
【請求項１】
無線通信システムにおいて端末がアップリンクチャネルを送信する方法であって、
基地局から、ＣＳＩ報告（Ｃｈａｎｎｅｌ  Ｓｔａｔｅ  Ｉｎｆｏｒｍａｔｉｏｎ  ｒｅｐｏｒｔｉｎｇ）のための第１タイミングオフセット（ｔｉｍｉｎｇ  ｏｆｆｓｅｔ）及びアップリンクデータ（ｕｐｌｉｎｋ  ｄａｔａ）の送信のための第２タイミングオフセットのうち少なくとも１つを指示する情報を受信するステップと、
特定タイミングオフセット値に応じて設定されたリソース領域において、アップリンクデータチャネルを前記基地局に送信するステップとを含み、
前記特定タイミングオフセット値は、前記アップリンクデータチャネルに割り当てられた情報の類型（ｔｙｐｅ）に応じて、前記第１タイミングオフセット及び前記第２タイミングオフセットのうち少なくとも１つを適用して設定されることを特徴とする方法。
【請求項２】
前記アップリンクデータチャネルに割り当てられた情報の類型（ｔｙｐｅ）は、前記ＣＳＩ報告が割り当てられる第１類型、前記ＣＳＩ報告及び前記アップリンクデータが割り当てられる第２類型、及び前記アップリンクデータが割り当てられる第３類型に分類されることを特徴とする請求項１に記載の方法。
【請求項３】
各類型別に、アップリンクデータチャネルの送信のための最小タイミングオフセット値がそれぞれ設定又は定義されることを特徴とする請求項２に記載の方法。
【請求項４】
前記アップリンクデータチャネルに前記ＣＳＩ報告及び前記アップリンクデータが割り当てられる場合、前記最小タイミングオフセット値は、前記第１類型に対する最小タイミングオフセット値に特定値を加えて決定されることを特徴とする請求項３に記載の方法。
【請求項５】
前記特定タイミングオフセット値が前記最小タイミングオフセット値より小さく設定される場合、前記ＣＳＩ報告が前記アップリンクデータチャネルを介して行わないことを特徴とする請求項４に記載の方法。
【請求項６】
前記特定タイミングオフセット値が前記最小タイミングオフセット値より小さいながら、前記第３類型に対する最小タイミングオフセット値よりは大きい場合、前記アップリンクデータのみが前記アップリンクデータチャネルを介して伝達されることを特徴とする請求項４に記載の方法。
【請求項７】
前記特定タイミングオフセット値が前記最小タイミングオフセット値より小さい場合、前記端末により以前に報告されたＣＳＩが前記アップリンクデータチャネルを介して伝達されることを特徴とする請求項４に記載の方法。
【請求項８】
前記第１タイミングオフセット及び前記第２タイミングオフセットは、ダウンリンク制御情報（ｄｏｗｎｌｉｎｋ  ｃｏｎｔｒｏｌ  ｉｎｆｏｒｍａｔｉｏｎ）の同一のフィールド（ｆｉｅｌｄ）で指示されることを特徴とする請求項１に記載の方法。
【請求項９】
前記フィールドのコード値（ｃｏｄｅ  ｐｏｉｎｔ）は、前記アップリンクデータチャネルに割り当てられた情報の類型（ｔｙｐｅ）に応じて、前記第１タイミングオフセットに対する候補値のうち１つ又は前記第２タイミングオフセットに対する候補値のうち１つを指示することを特徴とする請求項８に記載の方法。
【請求項１０】
前記第１タイミングオフセットに対する候補値及び前記第２タイミングオフセットに対する候補値のそれぞれは、上位層シグナリング（ｈｉｇｈｅｒ  ｌａｙｅｒ  ｓｉｇｎａｌｉｎｇ）を介して設定されることを特徴とする請求項９に記載の方法。
【請求項１１】
前記アップリンクデータチャネルに前記ＣＳＩ報告及び前記アップリンクデータが割り当てられる場合、前記フィールドのコード値は、前記第１タイミングオフセットに対する候補値のうち１つ又は前記第２タイミングオフセットに対する候補値のうち１つにマッピングされることを特徴とする請求項８に記載の方法。
【請求項１２】
前記第１タイミングオフセットは、上位層シグナリングを介して設定され、
前記第２タイミングオフセットは、ダウンリンク制御情報により指示されることを特徴とする請求項１に記載の方法。
【請求項１３】
前記アップリンクデータチャネルのリソース割り当て（ｒｅｓｏｕｒｃｅ  ａｌｌｏｃａｔｉｏｎ）及び前記ＣＳＩ報告のトリガリング（ｔｒｉｇｇｅｒｉｎｇ）が同時に指示され、前記第２タイミングオフセットが示す範囲が前記第１タイミングオフセットが示す範囲に含まれる場合、前記アップリンクデータチャネルは、前記ＣＳＩ報告及び前記アップリンクデータを伝達することを特徴とする請求項１２に記載の方法。
【請求項１４】
前記アップリンクデータチャネルのリソース割り当て（ｒｅｓｏｕｒｃｅ  ａｌｌｏｃａｔｉｏｎ）及び前記ＣＳＩ報告のトリガリングが同時に指示され、前記第２タイミングオフセットが示す範囲が前記第１タイミングオフセットが示す範囲に含まれない場合、前記アップリンクデータチャネルは、前記アップリンクデータを伝達することを特徴とする請求項１２に記載の方法。
【請求項１５】
無線通信システムにおいてアップリンクチャネルを送信する端末であって、
無線信号を送受信するためのＲＦモジュール（ｒａｄｉｏ  ｆｒｅｑｕｅｎｃｙ  ｍｏｄｕｌｅ）と、
前記ＲＦモジュールと機能的に接続されるプロセッサとを含み、
前記プロセッサは、
基地局から、ＣＳＩ報告（Ｃｈａｎｎｅｌ  Ｓｔａｔｅ  Ｉｎｆｏｒｍａｔｉｏｎ  ｒｅｐｏｒｔｉｎｇ）のための第１タイミングオフセット（ｔｉｍｉｎｇ  ｏｆｆｓｅｔ）及びアップリンクデータ（ｕｐｌｉｎｋ  ｄａｔａ）の送信のための第２タイミングオフセットの少なくとも１つを指示する情報を受信し、
特定タイミングオフセット値に応じて設定されたリソース領域において、アップリンクデータチャネルを前記基地局に送信するように制御し、
前記特定タイミングオフセット値は、前記アップリンクデータチャネルに割り当てられた情報の類型（ｔｙｐｅ）に応じて、前記第１タイミングオフセット及び前記第２タイミングオフセットの少なくとも１つを適用して設定されることを特徴とする端末。
【発明の詳細な説明】
【技術分野】
【０００１】
本発明は、無線通信システムに関し、より詳細には、アップリンクチャネル（ｕｐｌｉｎｋ  ｃｈａｎｎｅｌ）を送受信するための方法及びそれをサポートする装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によってリソースの不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅増加した接続デバイス個数の収容、非常に低い端対端遅延（Ｅｎｄ−ｔｏ−Ｅｎｄ  Ｌａｔｅｎｃｙ）、高エネルギー効率をサポートできなければならない。そのために、二重接続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）など、多様な技術が研究されている
【発明の概要】
【発明が解決しようとする課題】
【０００４】
本明細書は、無線通信システムにおいてアップリンクチャネルを送受信する方法及びそのための装置を提案する。
【０００５】
これに関連して、本明細書は、端末のＣＳＩ（Ｃｈａｎｎｅｌ  Ｓｔａｔｅ  Ｉｎｆｏｒｍａｔｉｏｎ）報告及びアップリンクデータの送信のための算出時間（ｃｏｍｐｕｔａｔｉｏｎ  ｔｉｍｅ）を考慮して、アップリンクチャネルを送信する方法及びそのための装置を提案する。
【０００６】
具体的に、本明細書は、ＣＳＩ報告に関連したタイミングオフセット（ｔｉｍｉｎｇ  ｏｆｆｓｅｔ）及び／又はアップリンクデータの送信に関連したタイミングオフセットを考慮して、アップリンクデータチャネルを介してＣＳＩ報告及び／又はＵＬデータ送信を行う方法及びそのための装置を提案する。
【０００７】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００８】
本発明の実施形態による無線通信システムにおいて、端末がアップリンクチャネル（ｕｐｌｉｎｋ  ｃｈａｎｎｅｌ）を送信する方法であって、前記方法は、基地局から、ＣＳＩ報告（Ｃｈａｎｎｅｌ  Ｓｔａｔｅ  Ｉｎｆｏｒｍａｔｉｏｎ  ｒｅｐｏｒｔｉｎｇ）のための第１タイミングオフセット（ｔｉｍｉｎｇ  ｏｆｆｓｅｔ）及びアップリンクデータ（ｕｐｌｉｎｋ  ｄａｔａ）の送信のための第２タイミングオフセットの少なくとも１つを示す情報を受信するステップと、特定タイミングオフセット値に応じて設定されたリソースの領域において、アップリンクデータチャネルを前記基地局に送信するステップとを含むことができる。ここで、前記特定タイミングオフセット値は、前記アップリンクデータチャネルに割り当てられた情報の類型（ｔｙｐｅ）に応じて、前記第１タイミングオフセット及び前記第２タイミングオフセットの少なくとも１つを適用して設定される。
【０００９】
また、本発明の実施形態による前記方法において、前記アップリンクデータチャネルに割り当てられた情報の類型は、前記ＣＳＩ報告が割り当てられる第１類型、前記ＣＳＩ報告及び前記アップリンクデータが割り当てられる第２類型、及び前記アップリンクデータが割り当てられる第３類型に分類される。ここで、各類型別に、アップリンクデータチャネルの送信のための最小タイミングオフセット値がそれぞれ設定又は定義される。
【００１０】
特に、前記アップリンクデータチャネルに前記ＣＳＩ報告及び前記アップリンクデータが割り当てられる場合、前記最小タイミングオフセット値は、前記第１類型に対する最小タイミングオフセット値に特定値を加えて決定される。
【００１１】
ここで、前記特定タイミングオフセット値が前記最小タイミングオフセット値より小さく設定される場合、前記ＣＳＩ報告が前記アップリンクデータチャネルを介して行われない。または、前記特定タイミングオフセット値が前記最小タイミングオフセット値より小さいながら、前記第３類型に対する最小タイミングオフセット値よりは大きい場合、前記アップリンクデータのみが前記アップリンクデータチャネルを介して伝達される。または、前記特定タイミングオフセット値が前記最小タイミングオフセット値より小さい場合、前記端末により以前に報告されたＣＳＩが前記アップリンクデータチャネルを介して伝達される。
【００１２】
また、本発明の実施形態による前記方法において、前記第１タイミングオフセット及び前記第２タイミングオフセットは、ダウンリンク制御情報（ｄｏｗｎｌｉｎｋ  ｃｏｎｔｒｏｌ  ｉｎｆｏｒｍａｔｉｏｎ）の同一のフィールド（ｆｉｅｌｄ）で指示される。この場合、前記フィールドのコード値（ｃｏｄｅ  ｐｏｉｎｔ）は、前記アップリンクデータチャネルに割り当てられた情報の類型に応じて、前記第１タイミングオフセットに対する候補値のうち１つ又は前記第２タイミングオフセットに対する候補値のうち１つを示す。ここで、前記第１タイミングオフセットに対する候補値及び前記第２タイミングオフセットに対する候補値のそれぞれは、上位層シグナリング（ｈｉｇｈｅｒ  ｌａｙｅｒ  ｓｉｇｎａｌｉｎｇ）を介して設定される。例えば、前記アップリンクデータチャネルに前記ＣＳＩ報告及び前記アップリンクデータが割り当てられる場合、前記フィールドのコード値は、前記第１タイミングオフセットに対する候補値のうち１つ又は前記第２タイミングオフセットに対する候補値のうち１つにマッピングされる。
【００１３】
また、本発明の実施形態による前記方法において、前記第１タイミングオフセットは、上位層シグナリングを介して設定され、前記第２タイミングオフセットは、ダウンリンク制御情報により示される。
【００１４】
ここで、前記アップリンクデータチャネルのリソース割り当て（ｒｅｓｏｕｒｃｅ  ａｌｌｏｃａｔｉｏｎ）及び前記ＣＳＩ報告のトリガリング（ｔｒｉｇｇｅｒｉｎｇ）が同時に指示され、前記第２タイミングオフセットが示す範囲が前記第１タイミングオフセットが示す範囲に含まれる場合、前記アップリンクデータチャネルは、前記ＣＳＩ報告及び前記アップリンクデータを伝達する。または、前記アップリンクデータチャネルのリソース割り当て（ｒｅｓｏｕｒｃｅ  ａｌｌｏｃａｔｉｏｎ）及び前記ＣＳＩ報告のトリガリングが同時に指示され、前記第２タイミングオフセットが示す範囲が前記第１タイミングオフセットが示す範囲に含まれない場合、前記アップリンクデータチャネルは、前記アップリンクデータを伝達する。
【００１５】
また、本発明の実施形態による前記方法において、前記ＣＳＩ報告は、トリガリング指示（ｔｒｉｇｇｅｒｉｎｇ  ｉｎｄｉｃａｔｉｏｎ）により非周期的（ａｐｅｒｉｏｄｉｃ）に行われるように設定されることができる。
【００１６】
本発明の実施形態による無線通信システムにおいてアップリンクチャネル（ｕｐｌｉｎｋ  ｃｈａｎｎｅｌ）を送信する端末であって、前記端末は、無線信号を送受信するためのＲＦモジュール（ｒａｄｉｏ  ｆｒｅｑｕｅｎｃｙ  ｍｏｄｕｌｅ）と、前記ＲＦモジュールと機能的に接続されているプロセッサとを含み、前記プロセッサは、基地局から、ＣＳＩ報告（Ｃｈａｎｎｅｌ  Ｓｔａｔｅ  Ｉｎｆｏｒｍａｔｉｏｎ  ｒｅｐｏｒｔｉｎｇ）のための第１タイミングオフセット（ｔｉｍｉｎｇ  ｏｆｆｓｅｔ）及びアップリンクデータ（ｕｐｌｉｎｋ  ｄａｔａ）の送信のための第２タイミングオフセットの少なくとも１つを示す情報を受信し、特定タイミングオフセットによって設定されたスロット（ｓｌｏｔ）において、アップリンクデータチャネルを前記基地局に送信するように制御する ここで、前記特定タイミングオフセットは、前記アップリンクデータチャネルに割り当てられた情報の類型に応じて、前記第１タイミングオフセット及び前記第２タイミングオフセットの少なくとも１つを適用して設定される。
【発明の効果】
【００１７】
本発明の実施形態によると、端末にＣＳＩ報告が指示されるか又は割り当てられる場合、ＣＳＩ報告に要求される算出時間を確保できるという効果がある。
【００１８】
また、本発明の実施形態によると、同一のダウンリンク制御情報（又は、同一のダウンリンク制御情報のフィールド）を利用してＣＳＩ報告及びアップリンクデータ送信のタイミングオフセットが指示されるので、端末のブラインドデコーディングオーバーヘッド（ｂｌｉｎｄ  ｄｅｃｏｄｉｎｇ  ｏｖｅｒｈｅａｄ）が減少できるという効果がある。
【００１９】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２０】
本発明に関する理解を助けるために詳細な説明の一部として含まれる添付図面は、本発明に対する実施形態を提供し、詳細な説明と共に本発明の技術的特徴を説明する。
【００２１】
【図１】本明細書で提案する方法が適用できるＮＲの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムでサポートするリソースグリッド（ｒｅｓｏｕｒｃｅ  ｇｒｉｄ）の一例を示す。
【図４】本明細書で提案する方法が適用できるアンテナポート及びヌメロロジー別のリソースグリッドの例を示す。
【図５】本明細書で提案する方法が適用できる自己完結型スロット（ｓｅｌｆ−ｃｏｎｔａｉｎｅｄ  ｓｌｏｔ）構造の一例を示した図である。
【図６】本明細書で提案する方法が適用できるＴＸＲＵとアンテナ要素の接続方式の一例を示す。
【図７】本明細書で提案する方法が適用できるＴＸＲＵ別サービス領域の多様な一例を示す。
【図８】本明細書で提案する方法が適用できる二次元平面アレイ構造を用いるＭＩＭＯシステムの一例を示す。
【図９】本明細書で提案する方法が適用できるＮＲシステムで考慮されるＣＳＩフレームワーク（ＣＳＩ  ｆｒａｍｅｗｏｒｋ）の一例を示す。
【図１０】本明細書で提案する方法が適用できる無線通信システムにおいてアップリンクチャネルを送信する端末の動作フローチャートを示す。
【図１１】本発明の一実施形態による無線通信装置のブロック構成図を例示する。
【図１２】本発明の一実施形態による通信装置のブロック構成図を例示する。
【発明を実施するための形態】
【００２２】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２３】
幾つかの場合、本発明の概念が曖昧になることを避けるために公知の構造及び装置は省略されるか、または各構造及び装置の核心機能を中心としたブロック図形式に図示できる。
【００２４】
本明細書で、基地局は端末と直接に通信を行うネットワークの終端ノード（ｔｅｒｍｉｎａｌ  ｎｏｄｅ）としての意味を有する。本文書で基地局によって行われるものと説明された特定の動作は、場合によっては基地局の上位ノード（ｕｐｐｅｒ  ｎｏｄｅ）によって行われてもよい。すなわち、基地局を含む多数のネットワークノード（ｎｅｔｗｏｒｋ  ｎｏｄｅｓ）からなるネットワークで端末との通信のために行われる多様な動作は、基地局又は基地局以外の他のネットワークノードによって行われ得ることは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｎｅｘｔ  ｇｅｎｅｒａｔｉｏｎ  ＮＢ、ｇｅｎｅｒａｌ  ＮＢ、ｇＮｏｄｅＢ）等の用語によって代替し得る。また、「端末（Ｔｅｒｍｉｎａｌ）」は、固定されるか移動性を有し得、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ)、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置等の用語に代替し得る。
【００２５】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２６】
以下の説明で使われる特定用語は本発明の理解を助けるために提供されたものであり、このような特定用語の使用は本発明の技術的思想を逸脱しない範囲で異なる形態に変更できる。
【００２７】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で実現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で実現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００２８】
本発明の実施形態は無線接続システムであるＩＥＥＥ  ８０２、３ＧＰＰ、及び３ＧＰＰ２のうち、少なくとも１つに開示された標準文書により裏付けられる。すなわち、本発明の実施形態のうち、本発明の技術的思想を明確に示すために説明しないステップまたは部分は前記文書により裏付けられる。また、本文書で開示している全ての用語は前記標準文書により説明できる。
【００２９】
説明を明確にするために、３ＧＰＰ  ＬＴＥ／ＬＴＥ−Ａ／ＮＲ（Ｎｅｗ  ＲＡＴ）を中心として技術（記述）するが、本発明の技術的特徴がこれに制限されるものではない。
【００３０】
用語の定義
【００３１】
ｅＬＴＥ  ｅＮＢ：ｅＬＴＥ  ｅＮＢは、ＥＰＣ及びＮＧＣに対する接続をサポートするｅＮＢの進化（ｅｖｏｌｕｔｉｏｎ）である。
【００３２】
ｇＮＢ：ＮＧＣとの接続だけでなく、ＮＲをサポートするノード。
【００３３】
新たなＲＡＮ：ＮＲまたはＥ−ＵＴＲＡをサポートするか、またはＮＧＣと相互作用する無線アクセスネットワーク。
【００３４】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００３５】
ネットワーク機能（ｎｅｔｗｏｒｋ  ｆｕｎｃｔｉｏｎ）：ネットワーク機能は、よく定義された外部インタフェースとよく定義された機能的動作を有するネットワークインフラ内での論理的ノード。
【００３６】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御平面インタフェース。
【００３７】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザプレーンインタフェース。
【００３８】
非独立型（Ｎｏｎ−ｓｔａｎｄａｌｏｎｅ）ＮＲ：ｇＮＢがＬＴＥ  ｅＮＢをＥＰＣに制御プレーン接続のためのアンカーとして要求するか、またはｅＬＴＥ  ｅＮＢをＮＧＣに制御プレーン接続のためのアンカーとして要求する配置構成。
【００３９】
非独立型Ｅ−ＵＴＲＡ：ｅＬＴＥ  ｅＮＢがＮＧＣに制御プレーン接続のためのアンカーとしてｇＮＢを要求する配置構成。
【００４０】
ユーザプレーンゲートウェイ：ＮＧ−Ｕインタフェースの終端点。
【００４１】
システム一般
【００４２】
図１は、本明細書で提案する方法が適用できるＮＲの全体的なシステム構造の一例を示した図である。
【００４３】
図１を参照すると、ＮＧ−ＲＡＮはＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００４４】
前記ｇＮＢは、Ｘｎインタフェースを通じて相互接続される。
【００４５】
また、前記ｇＮＢは、ＮＧインタフェースを通じてＮＧＣに接続される。
【００４６】
より具体的には、前記ｇＮＢはＮ２インタフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インタフェースを通じてＵＰＦ（Ｕｓｅｒ  Ｐｌａｎｅ  Ｆｕｎｃｔｉｏｎ）に接続される。
【００４７】
ＮＲ（Ｎｅｗ  Ｒａｔ）ヌメロロジー（Ｎｕｍｅｒｏｌｏｇｙ）及びフレーム（ｆｒａｍｅ）構造
【００４８】
ＮＲシステムでは、多数のヌメロロジー（ｎｕｍｅｒｏｌｏｇｙ）がサポートできる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。このとき、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立的に選択できる。
【００４９】
また、ＮＲシステムでは多数のヌメロロジーに従う多様なフレーム構造がサポートできる。
【００５０】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００５１】
ＮＲシステムでサポートされる多数のＯＦＤＭヌメロロジーは、表１のように定義できる。
【００５２】
【表１】
2020523855.tif 000003
【００５３】
ＮＲシステムにおけるフレーム構造（ｆｒａｍｅ  ｓｔｒｕｃｔｕｒｅ）と関連して、時間領域の多様なフィールドのサイズは
2020523855.tif 000004
の時間単位の倍数として表現される。ここで、
2020523855.tif 000005
であり、
2020523855.tif 000006
である。ダウンリンク（ｄｏｗｎｌｉｎｋ）及びアップリンク（ｕｐｌｉｎｋ）転送は
2020523855.tif 000007
の区間を有する無線フレーム（ｒａｄｉｏ  ｆｒａｍｅ）で構成される。ここで、無線フレームは各々
2020523855.tif 000008
の区間を有する１０個のサブフレーム（ｓｕｂｆｒａｍｅ）で構成される。この場合、アップリンクに対する１セットのフレーム及びダウンリンクに対する１セットのフレームが存在することができる
【００５４】
図２は、本明細書で提案する方法が適用できる無線通信システムにおけるアップリンクフレームとダウンリンクフレームとの間の関係を示す。
【００５５】
図２に示すように、端末（Ｕｓｅｒ  Ｅｑｕｉｐｍｅｎｔ：ＵＥ）からのアップリンクフレーム番号ｉの転送は、  該当端末での該当ダウンリンクフレームの開始より
2020523855.tif 000009
以前に始めなければならない。
【００５６】
ヌメロロジーμに対して、スロット（ｓｌｏｔ）はサブフレーム内で
2020523855.tif 000010
の増加する順に番号が付けられて、無線フレーム内で
2020523855.tif 000011
の増加する順に番号が付けられる。１つのスロットは
2020523855.tif 000012
の連続するＯＦＤＭシンボルで構成され、
2020523855.tif 000013
は用いられるヌメロロジー及びスロット設定（ｓｌｏｔ  ｃｏｎｆｉｇｕｒａｔｉｏｎ）によって決定される。サブフレームでスロット
2020523855.tif 000014
の開始は同一サブフレームでＯＦＤＭシンボル
2020523855.tif 000015
の開始と時間的に整列される。
【００５７】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００５８】
表２はヌメロロジーμでの一般（ｎｏｒｍａｌ）ＣＰに対するスロット当たりＯＦＤＭシンボルの数を示し、表３はヌメロロジーμでの拡張（ｅｘｔｅｎｄｅｄ）ＣＰに対するスロット当たりＯＦＤＭシンボルの数を示す。
【００５９】
【表２】
2020523855.tif 000016
【００６０】
【表３】
2020523855.tif 000017
【００６１】
ＮＲ物理リソース（ＮＲ  Ｐｈｙｓｉｃａｌ  Ｒｅｓｏｕｒｃｅ）
【００６２】
ＮＲシステムにおける物理リソース（ｐｈｙｓｉｃａｌ  ｒｅｓｏｕｒｃｅ）と関連して、アンテナポート（ａｎｔｅｎｎａ  ｐｏｒｔ）、リソースグリッド（ｒｅｓｏｕｒｃｅ  ｇｒｉｄ）、リソース要素（ｒｅｓｏｕｒｃｅ  ｅｌｅｍｅｎｔ）、リソースブロック（ｒｅｓｏｕｒｃｅ  ｂｌｏｃｋ）、キャリアパート（ｃａｒｒｉｅｒ  ｐａｒｔ）などが考慮できる。
【００６３】
以下、ＮＲシステムで考慮できる前記物理リソースに対して具体的に説明する。
【００６４】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にいるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００６５】
図３は、本明細書で提案する方法が適用できる無線通信システムでサポートするリソースグリッド（ｒｅｓｏｕｒｃｅ  ｇｒｉｄ）の一例を示す。
【００６６】
図３を参考すると、リソースグリッドが周波数領域上に
2020523855.tif 000018
サブキャリアで構成され、１つのサブフレームが１４・２μＯＦＤＭシンボルで構成されることを例示的に記述するが、これに限定されるものではない。
【００６７】
ＮＲシステムにおいて、転送される信号（ｔｒａｎｓｍｉｔｔｅｄ  ｓｉｇｎａｌ）は
2020523855.tif 000019
サブキャリアから構成される１つ又はそれ以上のリソースグリッド及び
2020523855.tif 000020
のＯＦＤＭシンボルにより説明される。ここで、
2020523855.tif 000021
である。前記
2020523855.tif 000022
は、最大転送帯域幅を示し、これは、ヌメロロジーだけでなく、アップリンクとダウンリンク間にも変わることができる。
【００６８】
この場合、図４に示すように、ヌメロロジーμ及びアンテナポートｐ別に１つのリソースグリッドが設定される。
【００６９】
図４は、本明細書で提案する方法が適用できるアンテナポート及びヌメロロジー別のリソースグリッドの例を示す。
【００７０】
ヌメロロジーμ及びアンテナポートｐに対するリソースグリッドの各要素はリソース要素（ｒｅｓｏｕｒｃｅ  ｅｌｅｍｅｎｔ）と称され、インデックス対
2020523855.tif 000023
により固有的に識別される。ここで、
2020523855.tif 000024
は周波数領域上のインデックスであり、
2020523855.tif 000025
はサブフレーム内でシンボルの位置を示す。スロットにおいてリソース要素を示すときは、インデックス対
2020523855.tif 000026
が用いられる。ここで、
2020523855.tif 000027
である。
【００７１】
ヌメロロジーμ及びアンテナポートｐに対するリソース要素
2020523855.tif 000028
は、複素値（ｃｏｍｐｌｅｘ  ｖａｌｕｅ）
2020523855.tif 000029
に該当する。混同（ｃｏｎｆｕｓｉｏｎ）される危険がない場合、または、特定のアンテナポートまたはヌメロロジーが特定されない場合は、インデックスｐ及びμはドロップ（ｄｒｏｐ）されることができ、その結果、複素値
2020523855.tif 000030
又は
2020523855.tif 000031
になることができる。
【００７２】
また、物理リソースブロック（ｐｈｙｓｉｃａｌ  ｒｅｓｏｕｒｃｅ  ｂｌｏｃｋ）は周波数領域上の
2020523855.tif 000032
連続的なサブキャリアとして定義される。周波数領域上で、物理リソースブロックは０から
2020523855.tif 000033
まで番号が付けられる。このとき、周波数領域上の物理リソースブロック番号（ｐｈｙｓｉｃａｌ  ｒｅｓｏｕｒｃｅ  ｂｌｏｃｋ  ｎｕｍｂｅｒ）
2020523855.tif 000034
とリソース要素
2020523855.tif 000035
間の関係は数式１のように与えられる。
【００７３】
【数１】
2020523855.tif 000036
【００７４】
また、キャリアパート（ｃａｒｒｉｅｒ  ｐａｒｔ）に関して、端末はリソースグリッドのサブセット（ｓｕｂｓｅｔ）のみを利用して受信または転送するように設定されることができる。このとき、端末が受信または転送するように設定されたリソースブロックの集合（ｓｅｔ）は周波数領域上で０から
2020523855.tif 000037
まで番号が付けられる。
【００７５】
ビーム管理（Ｂｅａｍ  ｍａｎａｇｅｍｅｎｔ）
【００７６】
ＮＲにおけるビーム管理は次のように定義される。
【００７７】
ビーム管理（Ｂｅａｍ  ｍａｎａｇｅｍｅｎｔ）：ＤＬ及びＵＬの送受信に使用されることができるＴＲＰ及び／又はＵＥのビームのセット（ｓｅｔ）を取得して維持するためのＬ１／Ｌ２手続のセットであって、少なくとも次の事項を含む：
【００７８】
−  ビーム決定：ＴＲＰ又はＵＥが自身の送信／受信ビームを選択する動作。
【００７９】
−  ビーム測定：ＴＲＰ又はＵＥが受信されたビーム形成の信号の特性を測定する動作。
【００８０】
−  ビーム報告：ＵＥがビーム測定に基づいてビーム形成された信号の情報を報告する動作。
【００８１】
−  ビームスイーピング（Ｂｅａｍ  ｓｗｅｅｐｉｎｇ）：予め決定された方式で時間間隔の間に送信及び／又は受信されたビームを用いて空間領域をカバーする動作。
【００８２】
また、ＴＲＰ及びＵＥにおけるＴｘ／Ｒｘビームの対応（ｃｏｒｒｅｓｐｏｎｄｅｎｃｅ）は、次のように定義される。
【００８３】
−  ＴＲＰにおけるＴｘ／Ｒｘビームの対応は、次の少なくとも１つが満たされると維持される。
【００８４】
−  ＴＲＰは、ＴＲＰの１つ以上の送信ビームに対するＵＥのダウンリンク測定に基づいて、アップリンク受信のためのＴＲＰ受信ビームを決定し得る。
【００８５】
−  ＴＲＰは、ＴＲＰの１つ以上のＲｘビームに対するＴＲＰのアップリンクの測定に基づいて、ダウンリンク送信に対するＴＲＰ  Ｔｘビームを決定し得る。
【００８６】
−  ＵＥにおけるＴｘ／Ｒｘビームの対応は、次の少なくとも１つが満たされると維持される。
【００８７】
−  ＵＥは、ＵＥの１つ以上のＲｘビームに対するＵＥのダウンリンクの測定に基づいて、アップリンク送信のためのＵＥ  Ｔｘビームを決定し得る。
【００８８】
−  ＵＥは、１つ以上のＴｘビームに対するアップリンクの測定に基づいたＴＲＰの指示に基づいて、ダウンリンク受信のためのＵＥ受信ビームを決定し得る。
【００８９】
−  ＴＲＰへＵＥビームの対応に関する情報の能力指示がサポートされる。
【００９０】
次のようなＤＬにおけるＬ１／Ｌ２のビーム管理手続が、１つ又は多数のＴＲＰ内でサポートされる。
【００９１】
Ｐ−１：ＴＲＰ  Ｔｘビーム／ＵＥ  Ｒｘビームの選択をサポートするために、異なるＴＲＰ  Ｔｘビームに対するＵＥの測定を可能にするために使用される。
【００９２】
−  ＴＲＰにおけるビームフォーミングの場合、一般に互いに異なるビームセットでイントラ（ｉｎｔｒａ）／インター（ｉｎｔｅｒ）−ＴＲＰ  Ｔｘビームスイープ（ｓｗｅｅｐ）を含む。ＵＥにおけるビームフォーミングのために、それは通常異なるビームのセットからのＵＥ  Ｒｘビームスイープを含む。
【００９３】
Ｐ−２：異なるＴＲＰ  Ｔｘビームに対するＵＥの測定が、インター／イントラ−ＴＲＰ  Ｔｘビームを変更させるために使用される。
【００９４】
Ｐ−３：ＵＥがビームフォーミングを使用する場合に、同一のＴＲＰ  Ｔｘビームに対するＵＥの測定が、ＵＥ  Ｒｘビームを変更させるのに使用される。
【００９５】
少なくともネットワークによってトリガーされた非周期的報告（ａｐｒｅｉｏｄｉｃ  ｒｅｐｏｒｔｉｎｇ）は、Ｐ−１、Ｐ−２、及びＰ−３に関する動作でサポートされる。
【００９６】
ビーム管理（少なくともＣＳＩ−ＲＳ）のためのＲＳに基づいたＵＥの測定は、Ｋ（ビームの総数）ビームで構成され、ＵＥは、選択されたＮ個のＴｘビームの測定結果を報告する。ここで、Ｎは、必ずしも固定された数ではない。移動性の目的のためのＲＳに基づいた手続は排除されない。報告情報は、少なくともＮ＜Ｋである場合、Ｎ個のビームに対する測定量及びＮ個のＤＬ送信ビームを示す情報を含む。特に、ＵＥがＫ’＞１ノン−ゼロ−パワー（ＮＺＰ）ＣＳＩ−ＲＳリソースに対して、ＵＥは、Ｎ’のＣＲＩ（ＣＳＩ−ＲＳリソースの指示子）を報告し得る。
【００９７】
ＵＥはビーム管理のために次のような上位層のパラメータ（ｈｉｇｈｅｒ  ｌａｙｅｒ  ｐａｒａｍｅｔｅｒ）で設定され得る。
【００９８】
−  Ｎ≧１報告設定（ｓｅｔｔｉｎｇ）、Ｍ≧１リソース設定
【００９９】
−  報告設定とリソース設定間のリンクは、合意されたＣＳＩ測定設定で設定される。
【０１００】
−  ＣＳＩ−ＲＳベースのＰ−１及びＰ−２は、リソース及び報告設定でサポートされる。
【０１０１】
−  Ｐ−３は、報告設定の有無に関係なくサポートされ得る。
【０１０２】
−  少なくとも以下の事項を含む報告設定（ｒｅｐｏｒｔｉｎｇ  ｓｅｔｔｉｎｇ）
【０１０３】
−  選択されたビームを示す情報
【０１０４】
−  Ｌ１測定報告（Ｌ１  ｍｅａｓｕｒｅｍｅｎｔ  ｒｅｐｏｒｔｉｎｇ）
【０１０５】
−  時間領域動作（例えば、非周期的（ａｐｅｒｉｏｄｉｃ）動作、周期的（ｐｅｒｉｏｄｉｃ）動作、半持続的（ｓｅｍｉ−ｐｅｒｓｉｓｔｅｎｔ）動作）
【０１０６】
−  様々な周波数細分性（ｆｒｅｑｕｅｎｃｙ  ｇｒａｎｕｌａｒｉｔｙ）がサポートされる場合の周波数細分性
【０１０７】
−  少なくとも以下の事項を含むリソース設定（ｒｅｓｏｕｒｃｅ  ｓｅｔｔｉｎｇ）
【０１０８】
−  時間領域動作（例えば、非周期的動作、周期的動作、半−持続的動作）
【０１０９】
−  ＲＳ類型：少なくともＮＺＰ  ＣＳＩ−ＲＳ
【０１１０】
−  数なくとも１つのＣＳＩ−ＲＳリソースのセット。各ＣＳＩ−ＲＳリソースのセットは、Ｋ≧１  ＣＳＩ−ＲＳリソースを含む（Ｋ個のＣＳＩ−ＲＳリソースの一部パラメータは同一であってもよい。例えば、ポートの番号、時間領域動作、密度、及び周期）
【０１１１】
また、ＮＲは、Ｌ＞１であるＬグループを考慮し、次のビーム報告をサポートする。
【０１１２】
−  最小限のグループを示す情報
【０１１３】
−  Ｎ１ビームに対する測定量（ｍｅａｓｕｒｅｍｅｎｔ  ｑｕａｎｔｉｔｙ）（Ｌ１  ＲＳＲＰ及びＣＳＩ報告サポート（ＣＳＩ−ＲＳがＣＳＩ取得のための場合））
【０１１４】
−  適用可能な場合、Ｎ１個のＤＬ送信ビームを示す情報
【０１１５】
前述したようなグループベースのビーム報告は、ＵＥ単位で構成し得る。また、前記グループベースのビーム報告は、ＵＥ単位でターンオフ（ｔｕｒｎ−ｏｆｆ）され得る（例えば、Ｌ＝１又はＮｌ＝１の場合）。
【０１１６】
ＮＲは、ＵＥがビーム失敗から復旧するメカニズムをトリガーできることをサポートする。
【０１１７】
ビーム失敗（ｂｅａｍ  ｆａｉｌｕｒｅ）のイベントは、関連した制御チャネルのビームペアリンク（ｂｅａｍ  ｐａｉｒ  ｌｉｎｋ）の品質が充分に低いときに発生する（例えば、臨界値との比較、関連したタイマーのタイムアウト）。ビーム失敗（又は障害）から復旧するメカニズムは、ビーム障害が発生するときにトリガーされる。
【０１１８】
ネットワークは、復旧の目的でＵＬ信号を送信するためのリソースを有するＵＥに明示的に構成する。リソースの構成は、基地局が全体又は一部方向から（例えば、ｒａｎｄｏｍ  ａｃｃｅｓｓ  ｒｅｇｉｏｎ）聴取（ｌｉｓｔｅｎｉｎｇ）するところでサポートされる。
【０１１９】
ビーム障害を報告するＵＬ送信／リソースは、ＰＲＡＣＨ（ＰＲＡＣＨリソースに直交するリソース）と同一の時間インスタンス（ｉｎｓｔａｎｃｅ）に、又はＰＲＡＣＨと異なる時間インスタンス（ＵＥに対して構成可能）に位置し得る。ＤＬ信号の送信は、ＵＥが新たな潜在的なビームを識別するためにビームをモニターすることができるようにサポートされる。
【０１２０】
ＮＲは、ビーム関連の指示（ｂｅａｍ−ｒｅｌａｔｅｄ  ｉｎｄｉｃａｔｉｏｎ）に関係なく、ビーム管理をサポートする。ビーム関連の指示が提供される場合、ＣＳＩ−ＲＳベースの測定のために使用されたＵＥ側のビーム形成／受信手続に関する情報は、ＱＣＬを介してＵＥに指示され得る。ＮＲでサポートするＱＣＬパラメータとしては、ＬＴＥシステムで使用していた遅延（ｄｅｌａｙ）、ドップラー（Ｄｏｐｐｌｅｒ）、平均利得（ａｖｅｒａｇｅ  ｇａｉｎ）等に対するパラメータだけでなく、受信端におけるビームフォーミングのための空間パラメータが追加される予定であり、端末の受信ビームフォーミングの観点から、到達角（ａｎｇｌｅ  ｏｆ  ａｒｒｉｖａｌ）関連のパラメータ及び／又は基地局の受信ビームフォーミングの観点から、発信角（ａｎｇｌｅ  ｏｆ  ｄｅｐａｒｔｕｒｅ）関連のパラメータが含まれ得る。ＮＲは制御チャネル及び該当データチャネルの送信で同一であるか異なるビームを使用することをサポートする。
【０１２１】
ビームペアリンクブロッキング（ｂｅａｍ  ｐａｉｒ  ｌｉｎｋ  ｂｌｏｃｋｉｎｇ）に対する頑健性（ｒｏｂｕｓｔｎｅｓｓ）をサポートするＮＲ−ＰＤＣＣＨ送信のために、ＵＥは、同時にＭ個のビームペアリンク上でＮＲ−ＰＤＣＣＨをモニタリングするように構成され得る。ここで、Ｍ≧１及びＭの最大値は、少なくともＵＥの能力に依存し得る。
【０１２２】
ＵＥは、異なるＮＲ−ＰＤＣＣＨ  ＯＦＤＭシンボルで異なるビームペアリンク上のＮＲ−ＰＤＣＣＨをモニタリングするように構成され得る。多数のビームペアリンク上でＮＲ−ＰＤＣＣＨをモニタリングするためのＵＥ  Ｒｘビームの設定に関するパラメータは、上位層のシグナリング又はＭＡＣ  ＣＥによって構成されるか、及び／又は探索空間の設計で考慮される。
【０１２３】
少なくとも、ＮＲはＤＬ  ＲＳアンテナポートとＤＬ制御チャネルの復調のためのＤＬ  ＲＳアンテナポート間の空間ＱＣＬ仮定の指示をサポートする。ＮＲ−ＰＤＣＣＨ（すなわち、ＮＲ−ＰＤＣＣＨをモニタリングする構成方法）に対するビーム指示のための候補のシグナリング方法は、ＭＡＣ  ＣＥシグナリング、ＲＲＣシグナリング、ＤＣＩシグナリング、スペックトランスペアレント及び／又は暗示的方法、及びこれらのシグナリング方法の組み合わせである。
【０１２４】
ユニキャストのＤＬデータチャネルの受信のために、ＮＲはＤＬ  ＲＳアンテナポートとＤＬデータチャネルのＤＭＲＳアンテナポート間の空間ＱＣＬ仮定の指示をサポートする。
【０１２５】
ＲＳアンテナポートを示す情報は、ＤＣＩ（ダウンリンクの許可）を介して表される。また、この情報は、ＤＭＲＳアンテナポートとＱＣＬされているＲＳアンテナポートを示す。ＤＬデータチャネルに対するＤＭＲＳアンテナポートの異なるセットは、ＲＳアンテナポートの異なるセットとＱＣＬとして示し得る。
【０１２６】
以下、本明細書で提案する方法を具体的に説明するに先だって、本明細書で提案する方法と直／間接に関連した内容について、先ず簡略に見ることとする。
【０１２７】
５Ｇ、Ｎｅｗ  Ｒａｔ（ＮＲ）等次世代通信では、より多くの通信機器がより大きな通信容量を要求するようになるにつれて、既存の無線アクセス技術（ｒａｄｉｏ  ａｃｃｅｓｓ  ｔｅｃｈｎｏｌｏｇｙ、ＲＡＴ）に比べて、向上したモバイルブロードバンド（ｍｏｂｉｌｅ  ｂｒｏａｄｂａｎｄ）通信に対する必要性が台頭している。
【０１２８】
また、多数の機器及び物を接続し、いつどこでも多様なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）もやはり、次世代通信で考慮される主なイシューのうちの１つである。
【０１２９】
のみならず、信頼性（ｒｅｌｉａｂｉｌｉｔｙ）及び遅延（ｌａｔｅｎｃｙ）に敏感なサービス及び／又は端末（ＵＥ）を考慮した通信システムのデザイン又は構造が議論されている。
【０１３０】
このように、ｅｎｈａｎｃｅｄ  ｍｏｂｉｌｅ  ｂｒｏａｄｂａｎｄ（ｅＭＢＢ）ｃｏｍｍｕｎｉｃａｔｉｏｎ、ｍａｓｓｉｖｅ  ＭＴＣ（ｍＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代無線アクセス技術（ｒａｄｉｏ  ａｃｃｅｓｓ  ｔｅｃｈｎｏｌｏｇｙ、ＲＡＴ）の導入が現在議論されており、本明細書では、便宜上、該当技術を「ｎｅｗ  ＲＡＴ（ＮＲ）」と通称することとする。
【０１３１】
自己完結型（Ｓｅｌｆ−ｃｏｎｔａｉｎｅｄ）スロット構造
【０１３２】
ＴＤＤシステムでデータ送信のレイテンシ（ｌａｔｅｎｃｙ）を最小化するために、５世代のＮｅｗ  ＲＡＴ（ＮＲ）では、図５のような自己完結型スロット構造（ｓｅｌｆ−ｃｏｎｔａｉｎｅｄ  ｓｌｏｔ  ｓｔｒｕｃｔｕｒｅ）を考慮している。
【０１３３】
すなわち、図５は、本明細書で提案する方法が適用できる自己完結型スロット構造の一例を示した図である。
【０１３４】
図５において、斜線領域５１０は、ダウンリンクコントロール（ｄｏｗｎｌｉｎｋ  ｃｏｎｔｒｏｌ）領域を示し、黒色部分５２０は、アップリンクコントロール（ｕｐｌｉｎｋ  ｃｏｎｔｒｏｌ）領域を示す。
【０１３５】
何ら表示のない部分５３０は、ダウンリンクデータの送信のために用いられてもよく、アップリンクデータの送信のために用いられてもよい。
【０１３６】
このような構造の特徴は、１つのスロット内でＤＬ送信とＵＬ送信が順次に行われ、１つのスロット内でＤＬデータを送り、ＵＬ  Ａｃｋ／Ｎａｃｋも送受信できる。
【０１３７】
このようなスロットを「自己完結型スロット（ｓｅｌｆ−ｃｏｎｔａｉｎｅｄ  ｓｌｏｔ）」と定義することができる。
【０１３８】
すなわち、このようなスロット構造を通じて、基地局はデータ送信のエラー発生の際、端末へデータを再送信するまでかかる時間を減らすことになり、これによって、最終のデータ伝達のレイテンシを最小化することができる。
【０１３９】
このような自己完結型スロット構造において、基地局と端末は送信モードから受信モードに切り替える過程又は受信モードから送信モードへ切り替える過程のための時間間隔（ｔｉｍｅ  ｇａｐ）が必要である。
【０１４０】
このため、該当スロット構造において、ＤＬからＵＬへ切り替えられる時点の一部ＯＦＤＭシンボルが保護区間（ｇｕａｒｄ  ｐｅｒｉｏｄ、ＧＰ）に設定される。
【０１４１】
アナログビームフォーミング（Ａｎａｌｏｇ  ｂｅａｍｆｏｒｍｉｎｇ）
【０１４２】
ミリ波（Ｍｉｌｌｉｍｅｔｅｒ  Ｗａｖｅ、ｍｍＷ）では、波長が短くなり、同じ面積に多数個のアンテナ要素（ｅｌｅｍｅｎｔ）の設置が可能になる。
【０１４３】
すなわち、３０ＧＨｚ帯域での波長は１ｃｍであって、４×４ｃｍのパネル（ｐａｎｅｌ）に０．５ラムダ（ｌａｍｂｄａ）（波長）間隔で二次元（２−ｄｉｍｅｎｓｉｏｎ）配列の形態で総６４（８×８）個のアンテナ要素の設置が可能である。
【０１４４】
従って、ｍｍＷでは、多数個のアンテナ要素を用いて、ビームフォーミング（ｂｅａｍｆｏｒｍｉｎｇ）（ＢＦ）の利得を高めて、カバレッジを増加させたり、スループット（ｔｈｒｏｕｇｈｐｕｔ）を高めようとする。
【０１４５】
この場合、アンテナ要素別に送信パワー及び位相調節が可能なように、ＴＸＲＵ（Ｔｒａｎｓｃｅｉｖｅｒ  Ｕｎｉｔ）を有すると、周波数リソース別に独立したビームフォーミングが可能である。
【０１４６】
しかし、約１００個のアンテナ要素に全てＴＸＲＵを設置するには、価格面において実効性が低いという問題を有することになる。
【０１４７】
従って、１つのＴＸＲＵに多数個のアンテナ要素をマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。
【０１４８】
このようなアナログビームフォーミング方式は、全帯域において１つのビーム方向のみを作ることができ、周波数選択的ビームフォーミングを行うことができないという短所を有する。
【０１４９】
このような理由により、デジタルＢＦとアナログＢＦの中間形態で、Ｑ個のアンテナ要素よりも少ない個数であるＢ個のＴＸＲＵを有するハイブリッドＢＦ（ｈｙｂｒｉｄ  ＢＦ（ＨＢＦ））を考慮し得る。
【０１５０】
ＨＢＦは、Ｂ個のＴＸＲＵとＱ個のアンテナ要素の接続方式によって差はあるが、同時に送信することができるビームの方向は、Ｂ個以下に制限されることになる。
【０１５１】
図６は、本明細書で提案する方法が適用できるＴＸＲＵとアンテナ要素の接続方式の一例を示す。
【０１５２】
ここで、ＴＸＲＵの仮想化（ｖｉｒｔｕａｌｉｚａｔｉｏｎ）モデルは、ＴＸＲＵの出力信号とアンテナ要素の出力信号の関係を示す。
【０１５３】
図６の（ａ）は、ＴＸＲＵがサブアレイ（ｓｕｂ−ａｒｒａｙ）に接続された方式の一例を示す。
【０１５４】
図６の（ａ）を参考すると、アンテナ要素は、１つのＴＸＲＵのみに接続される。図６の（ａ）と異なり、図６の（ｂ）は、ＴＸＲＵが全てのアンテナ要素に接続された方式を示す。
【０１５５】
すなわち、図６の（ｂ）の場合、アンテナ要素は全てのＴＸＲＵに接続される。
【０１５６】
図６において、Ｗはアナログ位相シフタによって掛けられる位相ベクトルを示す。
【０１５７】
すなわち、Ｗによってアナログビームフォーミングの方向が決定される。ここで、ＣＳＩ−ＲＳアンテナポートとＴＸＲＵとのマッピングは、１対１（１−ｔｏ−１）又は１対多（１−ｔｏ−ｍａｎｙ）であり得る。
【０１５８】
ＣＳＩフィードバック（ＣＳＩ  ｆｅｅｄｂａｃｋ）
【０１５９】
３ＧＰＰ  ＬＴＥ（−Ａ）システムでは、ユーザ機器（ＵＥ）がチャネル状態情報（ＣＳＩ）を基地局（ＢＳ）に報告するように定義されている。
【０１６０】
ここで、チャネル状態情報（ＣＳＩ）とは、ＵＥとアンテナポートとの間で形成される無線チャネル（或いは「リンク」ともいう）の品質を示せる情報を通称する。
【０１６１】
例えば、ランク指示子（ｒａｎｋ  ｉｎｄｉｃａｔｏｒ、ＲＩ）、プリコーディング行列指示子（ｐｒｅｃｏｄｉｎｇ  ｍａｔｒｉｘ  ｉｎｄｉｃａｔｏｒ、ＰＭＩ）、チャネル品質指示子（ｃｈａｎｎｅｌ  ｑｕａｌｉｔｙ  ｉｎｄｉｃａｔｏｒ、ＣＱＩ）等がこれに該当する。
【０１６２】
ここで、ＲＩはチャネルのランク（ｒａｎｋ）情報を示し、これは、ＵＥが同一の時間−周波数リソースを介して受信するストリームの個数を意味する。この値は、チャネルの長い周期のフェーディング（ｆａｄｉｎｇ）によって従属されて決定されるので、ＰＭＩ、ＣＱＩよりも通常さらに長い周期を持ってＵＥからＢＳにフィードバックされる。
【０１６３】
ＰＭＩはチャネルの空間特性を反映した値であって、ＳＩＮＲ等のメトリック（ｍｅｔｒｉｃ）を基準に、ＵＥが好むプリコーディングインデックスを示す。
【０１６４】
ＣＱＩはチャネルの強度を示す値であって、一般に基地局（ＢＳ）がＰＭＩを用いたときに得られる受信のＳＩＮＲを意味する。
【０１６５】
３ＧＰＰ  ＬＴＥ（−Ａ）システムで、基地局は多数個のＣＳＩプロセスをＵＥに設定し、各プロセスに対するＣＳＩの報告を受けることができる。
【０１６６】
ここで、ＣＳＩプロセスは基地局からの信号品質の特定のためのＣＳＩ−ＲＳとの干渉測定のためのＣＳＩ−干渉測定（ＣＳＩ−Ｉｎｔｅｒｆｅｒｅｎｃｅ  ｍｅａｓｕｒｅｍｅｎｔ、ＣＳＩ−ＩＭ）リソースで構成される。
【０１６７】
参照信号仮想化（ＲＳ  ｖｉｒｔｕａｌｉｚａｔｉｏｎ）
【０１６８】
ｍｍＷでアナログビームフォーミングにより１つの時点に１つのアナログビームの方向のみにＰＤＳＣＨ送信が可能である。
【０１６９】
よって、基地局は特定方向にある一部少数のＵＥにのみデータを送信することになる。
【０１７０】
従って、必要に応じて、アンテナポート別にアナログビームの方向を異なって設定し、様々なアナログビームの方向にある多数のＵＥに同時にデータ送信を行うことができるようにする。
【０１７１】
図７は、本明細書で提案する方法が適用できるＴＸＲＵ別サービス領域の多様な一例を示す。
【０１７２】
図７の場合、２５６のアンテナ要素を４等分し、４個のサブアレイ（ｓｕｂ−ａｒｒａｙ）を形成し、各サブアレイ（ｓｕｂ−ａｒｒａｙ）にＴＸＲＵを接続した構造に関するもので、これを例に挙げて説明する。
【０１７３】
各サブアレイが二次元（ｄｉｍｅｎｓｉｏｎ）配列の形態で総６４（８×８）のアンテナ要素で構成されると、特定のアナログビームフォーミングにより１５度の水平角領域と１５度の垂直角領域に該当する地域をカバーすることができることになる。
【０１７４】
すなわち、基地局がサービスすべき地域を多数個の領域に分け、一度に１つずつサービスすることになる。
【０１７５】
以下の説明で、ＣＳＩ−ＲＳのアンテナポートとＴＸＲＵは、１対１（１−ｔｏ−１）マッピングされたと仮定する。
【０１７６】
従って、アンテナポートとＴＸＲＵは、以下の説明で同じ意味を有するものと解釈され得る。
【０１７７】
図７の（ａ）のように、全てのＴＸＲＵ（アンテナポート、サブアレイ）が同じアナログビームフォーミングの方向を有すると、より高い解像度（ｒｅｓｏｌｕｔｉｏｎ）を有するデジタルビームを形成し、該当地域のスループット（ｔｈｒｏｕｇｈｐｕｔ）を増加させることができる。
【０１７８】
また、該当地域に送信データのランク（ｒａｎｋ）を増加させて、該当地域のスループットを増加させることができる。
【０１７９】
また、図７の（ｂ）のように、各ＴＸＲＵ（アンテナポート、サブアレイ）が異なるアナログビームフォーミングの方向を有すると、より広い領域に分布されたＵＥに該当サブフレーム（ＳＦ）で同時にデータ送信が可能になる。
【０１８０】
図７の（ｂ）に示されたように、４個のアンテナポートのうち２個は、領域１にあるＵＥ１にＰＤＳＣＨ送信のために使用し、残りの２個は領域２にあるＵＥ２にＰＤＳＣＨ送信のために使用するようにする。
【０１８１】
また、図７の（ｂ）は、ＵＥ１に送信されるＰＤＳＣＨ１とＵＥ２に送信されるＰＤＳＣＨ２がＳＤＭ（Ｓｐａｔｉａｌ  Ｄｉｖｉｓｉｏｎ  Ｍｕｌｔｉｐｌｅｘｉｎｇ）された例を示す。
【０１８２】
これと異なり、図７の（ｃ）のように、ＵＥ１に送信されるＰＤＳＣＨ１とＵＥ２に送信されるＰＤＳＣＨ２がＦＤＭ（Ｆｒｅｑｕｅｎｃｙ  Ｄｉｖｉｓｉｏｎ  Ｍｕｌｔｉｐｌｅｘｉｎｇ）されて送信されることもある。
【０１８３】
全てのアンテナポートを使用して１つの領域をサービスする方式と、アンテナポートを分けて様々な領域を同時にサービスする方式のうち、セルスループット（ｃｅｌｌ  ｔｈｒｏｕｇｈｐｕｔ）を最大化するために、ＵＥにサービスするランク及びＭＣＳに応じて、好まれる方式が変わり得る。
【０１８４】
また、各ＵＥに送信するデータの量に応じても、好まれる方式が変わることになる。
【０１８５】
基地局は、全てのアンテナポートを使用し、１つの領域をサービスするときに得られるセルスループットまたはスケジューリングメトリック（ｓｃｈｅｄｕｌｉｎｇ  ｍｅｔｒｉｃ）を計算し、アンテナポートを分けて二つの領域をサービスするときに得られるセルスループットまたはスケジューリングメトリックを計算する。
【０１８６】
基地局は各方式を通じて得られるセルスループットまたはスケジューリングメトリックを比較し、最終の送信方式を選択するようにする。
【０１８７】
結果、ＳＦ−ｂｙ−ＳＦでＰＤＳＣＨ送信に参加するアンテナポートの個数が変動することになる。
【０１８８】
基地局がアンテナポートの個数によるＰＤＳＣＨの送信ＭＣＳを計算し、スケジューリングのアルゴリズムに反映するために、これに好適なＵＥからのＣＳＩフィードバックが要求される。
【０１８９】
チャネル状態情報フィードバック（Ｃｈａｎｎｅｌ  Ｓｔａｔｅ  Ｉｎｆｏｒｍａｔｉｏｎ  ｆｅｅｄｂａｃｋ）
【０１９０】
レガシー（ｌｅｇａｃｙ）ＬＴＥシステムを含む大部分のセルラーシステム（ｃｅｌｌｕｌａｒ  ｓｙｓｔｅｍ）において、端末は、チャネル推定（ｃｈａｎｎｅｌ  ｅｓｔｉｍａｔｉｏｎ）のためのパイロット信号（例えば、参照信号（Ｒｅｆｅｒｅｎｃｅ  Ｓｉｇｎａｌ：ＲＳ））を基地局から受信してチャネル状態情報（Ｃｈａｎｎｅｌ  Ｓｔａｔｅ  Ｉｎｆｏｒｍａｔｉｏｎ：ＣＳＩ）を算出し、算出された値を基地局に報告（ｒｅｐｏｒｔ）する。基地局は、端末からフィードバック（ｆｅｅｄｂａｃｋ）されたＣＳＩ情報に基づいてデータ（ｄａｔａ）信号（すなわち、ダウンリンクデータ）を送信する。ＬＴＥシステムの場合、端末がフィードバックするＣＳＩ情報は、チャネル品質情報（Ｃｈａｎｎｅｌ  Ｑｕａｌｉｔｙ  Ｉｎｆｏｒｍａｔｉｏｎ：ＣＱＩ）、プリコーディング行列インデックス（Ｐｒｅｃｏｄｉｎｇ  Ｍａｔｒｉｘ  Ｉｎｄｅｘ：ＰＭＩ）、ランクインジケータ（Ｒａｎｋ  Ｉｎｄｉｃａｔｏｒ：ＲＩ）を含む。以下、ＣＱＩフィードバック、ＰＭＩフィードバック、及びＲＩフィードバックについて具体的に説明する。
【０１９１】
まず、ＣＱＩフィードバックは、基地局がデータを送信するとき、どのような変調及び符号化技法（Ｍｏｄｕｌａｔｉｏｎ  ａｎｄ  Ｃｏｄｉｎｇ  Ｓｃｈｅｍｅ：ＭＣＳ）を適用するかに関する情報を提供する目的で端末が基地局に提供する無線チャネル品質情報である。基地局と端末間の無線品質が高い場合、端末は、高いＣＱＩ値を基地局にフィードバックする。高いＣＱＩ値がフィードバックされた基地局は、相対的に高い変調次数（ｍｏｄｕｌａｔｉｏｎ  ｏｒｄｅｒ）と低いチャネルコーディング比率（ｃｈａｎｎｅｌ  ｃｏｄｉｎｇ  ｒａｔｅ）を適用してデータを送信する。これとは異なり、基地局と端末間の無線品質が低い場合、端末は、低いＣＱＩ値を基地局にフィードバックする。低いＣＱＩ値がフィードバックされた基地局は、相対的に低い変調次数と高いチャネルコーディング比率を適用してデータを送信する。
【０１９２】
次に、ＰＭＩフィードバックは、基地局が多重アンテナ（ｍｕｌｔｉｐｌｅ−ａｎｔｅｎｎａ）を設置した場合、どのようなＭＩＭＯ（Ｍｕｌｔｉｐｌｅ−Ｉｎｐｕｔ  Ｍｕｌｔｉｐｌｅ−Ｏｕｔｐｕｔ）プリコーディング技法（ｐｒｅｃｏｄｉｎｇ  ｓｃｈｅｍｅ）を適用するかに関する情報を提供する目的で端末が基地局に提供する好まれるプリコーディング行列（ｐｒｅｆｅｒｒｅｄ  ｐｒｅｃｏｄｉｎｇ  ｍａｔｒｉｘ）情報である。端末は、パイロット信号から基地局と端末間のダウンリンクＭＩＭＯチャネルを推定し、基地局がどのようなＭＩＭＯプリコーディングを適用すれば効率的であるかに関する情報をＰＭＩフィードバックにより伝達する。ＬＴＥシステムの場合、ＰＭＩ構成において行列形態で表現可能な線形ＭＩＭＯプリコーディング（ｌｉｎｅａｒ  ＭＩＭＯ  ｐｒｅｃｏｄｉｎｇ）のみが考慮される。
【０１９３】
この場合、基地局と端末は、多数のプリコーディング行列で構成されたコードブック（ｃｏｄｅｂｏｏｋ）を共有しており、コードブック内のそれぞれのＭＩＭＯプリコーディング行列は、固有のインデックス（ｉｎｄｅｘ）を有する。従って、端末は、コードブック内で最も好まれるＭＩＭＯプリコーディング行列に該当するインデックスをＰＭＩを介してフィードバックすることにより、端末のフィードバック情報量を最小化する。ここで、ＰＭＩ値が必ず１つのインデックスでのみ構成される必要はない。
【０１９４】
一例として、ＬＴＥシステムにおいて送信アンテナポート数が８つである場合、２つのインデックス（例えば、Ｗ１及びＷ２）を結合してこそ最終的な８送信（ｔｘ）ＭＩＭＯプリコーディング行列を導出できるように設定されることがある。１番目のＰＭＩに該当するＷ１は、より長い周期（例えば、ロングターム（ｌｏｎｇ  ｔｅｒｍ））でフィードバックされ、広帯域（ｗｉｄｅｂａｎｄ）の属性を有しているため、一般的にｗｉｄｅｂａｎｄ  ＰＭＩと呼ばれる。また、２番目のＰＭＩに該当するＷ２は、より短い周期（例えば、ショートターム（ｓｈｏｒｔ  ｔｅｒｍ））でフィードバックされ、サブバンド（ｓｕｂｂａｎｄ）属性を有しているため、ｓｕｂｂａｎｄ  ＰＭＩと呼ばれる。
【０１９５】
ここで、最終的なプリコーダは、Ｗ１とＷ２間の積で構成される。ここで、Ｗ１は、交差偏波（ｃｒｏｓｓ−ｐｏｌａｒｉｚａｔｉｏｎ）アンテナ環境で各偏波（ｐｏｌａｒｉｚａｔｉｏｎ）別のビームグループを選択するために設定され、Ｗ２は、各偏波において最終ビーム選択及び交差偏波間に位相結合（ｃｏ−ｐｈａｓｉｎｇ）のために設定される。ビームグループに属するビームの数が１つである場合も発生し得るが、この場合、Ｗ２は、位相結合（ｃｏ−ｐｈａｓｉｎｇ）のためにのみ設定されることもある。ビームグループに属するビームの数及びビームグループの選択のとき、垂直（ｖｅｒｔｉｃａｌ）ビームと水平（ｈｏｒｉｚｏｎｔａｌ）ビームインデックス組み合わせのどのパターンを基準に選択するかについて、基地局がコードブック設定パラメータと指定することができる。
【０１９６】
次に、ＲＩフィードバックは、基地局と端末が多重アンテナを設置して空間多重化（ｓｐａｔｉａｌ  ｍｕｌｔｉｐｌｅｘｉｎｇ）による多重レイヤ（ｍｕｌｔｉ−ｌａｙｅｒ）送信が可能である場合、端末が好む送信レイヤの数に関する情報を提供する目的で端末が基地局に提供する好む送信レイヤ数に関する情報である。ここで、ＲＩは、ＰＭＩと密接な関係があり、これは、送信レイヤ数に応じて基地局はそれぞれのレイヤに対してどのプリコーディングを適用すべきであるかを分かるべきであるためである。
【０１９７】
ＰＭＩ／ＲＩフィードバック構成において、単一レイヤ送信を基準にＰＭＩコードブックを構成した後、レイヤ別にＰＭＩを定義して端末がフィードバックする方法が考慮されてもよい。ただし、このような方法は、送信レイヤ数の増加につれてＰＭＩ／ＲＩフィードバックの情報量が大きく増加する短所がある。従って、ＬＴＥシステムの場合、それぞれの送信レイヤ数に応じるＰＭＩコードブックが定義されている。すなわち、Ｒレイヤ（Ｒ−ｌａｙｅｒ）送信のために、サイズＮｔ×ｒの行列Ｎ個がコードブック内に定義される。ここで、Ｒはレイヤの数、Ｎｔは送信アンテナポート数、Ｎはコードブックのサイズを意味する。従って、ＬＴＥシステムの場合、送信レイヤ数に関係なくＰＭＩコードブックのサイズが定義される。この場合、送信レイヤ数（Ｒ）は、プリコーディング行列（Ｎｔ×ｒ行列）のランク（ｒａｎｋ）値と一致することになる。
【０１９８】
また、ＬＴＥシステムのＦＤ（ｆｕｌｌ  ｄｉｍｅｎｓｉｏｎ）−ＭＩＭＯにおいては、ｎｏｎ−ｐｒｅｃｏｄｅｄ  ＣＳＩ−ＲＳベースのＣｌａｓｓ  Ａ動作とｂｅａｍｆｏｒｍｅｄ  ＣＳＩ−ＲＳベースのＣｌａｓｓ  Ｂ動作が定義された。ここで、Ｃｌａｓｓ  Ａ動作は、水平ビームフォーミング（ｈｏｒｉｚｏｎｔａｌ  ｂｅａｍｆｏｒｍｉｎｇ）をサポートするために設計したＰＭＩコードブックを、垂直及び水平ビームフォーミングをサポートできるように拡張したことが最大の特徴である。Ｃｌａｓｓ  Ｂ動作は、既存の動作及びＣｌａｓｓ  Ａ動作とは異なり、基地局がＣＳＩ−ＲＳの送信の時（例えば、ＤＭＲＳと類似した方式で送信）、ビームフォーミングを適用して送信することを特徴とする。
【０１９９】
例えば、４ｐｏｒｔ  ＣＳＩ−ＲＳリソースＡと４ｐｏｒｔ  ＣＳＩ−ＲＳリソースＢは、リソース単位で相異なる方向のビームフォーミングが適用されて送信するように設定される。この場合、端末は、２つのＣＳＩ−ＲＳリソースのうち品質が優秀なリソースを選択した後、当該リソースに対するチャネル状態情報（例えば、ＰＭＩ、ＣＱＩ、ＲＩ）をフィードバックすることができる。このようなＣＳＩ−ＲＳリソース選択に関連したインデックスは、ＣＲＩ（ＣＳＩ−ＲＳ  ｒｅｓｏｕｒｃｅ  ｉｎｄｉｃａｔｏｒ）と呼ばれ、ＣＳＩ  ｆｅｅｄｂａｃｋパラメータとして他のチャネル状態情報（例えば、ＰＭＩ、ＣＱＩ、ＲＩ）と共にフィードバックされることができる。
【０２００】
Ｃｌａｓｓ  Ｂ動作の場合、同一リのソース内にポート別に相異なるビームフォーミングが適用されることもある。この場合、ポート選択コードブック（ｐｏｒｔ  ｓｅｌｅｃｔｉｏｎ  ｃｏｄｅｂｏｏｋ）として特定ポートのみを選択的に使用するか、ポート結合コードブック（ｐｏｒｔ  ｃｏｍｂｉｎｉｎｇ  ｃｏｄｅｂｏｏｋ）に結合して使用することもできる。
【０２０１】
また、ｅＦＤ−ＭＩＭＯ（ｅｎｈａｎｃｅｄ  ＦＤ−ＭＩＭＯ）においては、ハイブリッドＣＳＩ動作（ｈｙｂｒｉｄ  ＣＳＩ  ｏｐｅｒａｔｉｏｎ）と呼ばれる技術が考慮されている。これは、既存の基地局がＣＳＩ−ＲＳを送信し、端末がＣＳＩの算出及びフィードバックする２段階の手順を、ｉ）基地局がＣＳＩ−ＲＳを送信し、ｉｉ）端末がＣＳＩ算出及びフィードバックを行い、ｉｉｉ）基地局が前記ＣＳＩフィードバックに基づいてＣＳＩ−ＲＳを送信し、ｉｖ）端末がＣＳＩ算出及びフィードバックを行う４段階の手順に拡張した概念である。ここで、次のような２つのメカニズム（ｍｅｃｈａｎｉｓｍ）が考慮されることができる。
【０２０２】
まず、Ｃｌａｓｓ  Ａ動作とＣｌａｓｓ  Ｂ動作が結合された形態の「ｈｙｂｒｉｄ  ＣＳＩ  ｍｅｃｈａｎｉｓｍ  １」が考慮される。当該メカニズムの場合、ｉ）基地局がｎｏｎ−ｐｒｅｃｏｄｅｄ  ＣＳＩ−ＲＳを送信し、ｉｉ）端末がＲＩ及び（ＷＢ）ＰＭＩをフィードバックし、ｉｉｉ）基地局は前記フィードバック情報を基準にｂｅａｍｆｏｒｍｅｄ  ＣＳＩ−ＲＳを送信し、ｉｖ）端末はｂｅａｍｆｏｒｍｅｄ  ＣＳＩ−ＲＳに対するＰＭＩ、ＲＩ、ＣＱＩをフィードバックするように設定される。
【０２０３】
次に、２つのＣｌａｓｓ  Ｂ動作が結合された形態の「ｈｙｂｒｉｄ  ＣＳＩ  ｍｅｃｈａｎｉｓｍ  ２」が考慮される。当該メカニズムの場合、ｉ）基地局が多数のｂｅａｍｆｏｒｍｅｄ  ＣＳＩ−ＲＳリソースを送信し、ｉｉ）端末がＣＲＩをフィードバックし（これによりビームが選択される）、ｉｉｉ）基地局は前記ＣＲＩに基づいてｂｅａｍｆｏｒｍｅｄ  ＣＳＩ−ＲＳポートを送信し、ｉｖ）端末は前記ＣＳＩ−ＲＳに対するＰＭＩ、ＲＩ、ＣＱＩをフィードバックするように設定できる。
【０２０４】
本明細書で説明されるＰＭＩ／ＲＩは、プリコーディング行列（Ｎｔ×Ｒ行列）のインデックス値とプリコーディング行列のランク値を意味するＬＴＥシステムおけるＰＭＩ／ＲＩを意味することに限定されない。また、本明細書で説明されるＰＭＩは、送信端において適用可能なＭＩＭＯプリコーダのうち好まれるＭＩＭＯプリコーダ情報を示す情報を意味する。この場合、プリコーダの形態は、行列で表現可能な線形プリコーダのみに限定されない。また、本明細書で説明されるＲＩは、好まれる送信レイヤの数を示すフィードバック情報を全て含み、ＬＴＥにおけるＲＩよりも広い意味として解釈されることができる。
【０２０５】
このようなＣＳＩ情報は、全体システム周波数領域に対して生成されるか、又は一部の周波数領域に対して生成される。特に、広帯域システム（ｗｉｄｅｂａｎｄ（又は、ｂｒｏａｄｂａｎｄ）システム）においては、端末別に好まれる一部の周波数領域（例えば、サブバンド）に対するＣＳＩ情報を生成してフィードバックする方法が効率的であり得る。
【０２０６】
また、ＬＴＥシステムにおいてＣＳＩ情報に対するフィードバックは、アップリンクチャネルを介して行われる。一般に、周期的な（ｐｅｒｉｏｄｉｃ）ＣＳＩフィードバックは、ＰＵＣＣＨ（Ｐｈｙｓｉｃａｌ  Ｕｐｌｉｎｋ  Ｃｏｎｔｒｏｌ  Ｃｈａｎｎｅｌ）を介して行われ、非周期的な（ａｐｅｒｉｏｄｉｃ）ＣＳＩフィードバックは、ＰＵＳＣＨ（Ｐｈｙｓｉｃａｌ  Ｕｐｌｉｎｋ  Ｓｈａｒｅｄ  Ｃｈａｎｎｅｌ）を介して行われる。
【０２０７】
ＰＵＣＣＨを介して行われされる周期的なＣＳＩフィードバックに対するＰＵＣＣＨ  ＣＳＩ報告モード（ＰＵＣＣＨ  ＣＳＩ  ｒｅｐｏｒｔｉｎｇ  ｍｏｄｅ）は、表４のように定義されることができる。ここで、ＰＵＣＣＨ  ＣＳＩ報告モードは、端末が周期的なＣＳＩフィードバックを行う場合に端末がどのような情報をフィードバックすべきであるかに対してモードで区分したことを意味する。
【０２０８】
【表４】
2020523855.tif 000038
【０２０９】
周期的なＣＳＩフィードバックと異なり、非周期的なＣＳＩフィードバックは、基地局がＣＳＩフィードバック情報を要求する場合にのみ一時的に行われる。この場合、基地局は、ＰＤＣＣＨ（Ｐｈｙｓｉｃａｌ  Ｄｏｗｎｌｉｎｋ  Ｃｏｎｔｒｏｌ  Ｃｈａｎｎｅｌ）／ｅＰＤＣＣＨ（ｅｎｈａｎｃｅｄ  ＰＤＣＣＨ）のようなダウンリンク制御チャネルを介して非周期的なＣＳＩフィードバックをトリガー（ｔｒｉｇｇｅｒ）する。ＬＴＥシステムにおいて非周期的なＣＳＩフィードバックがトリガーされた場合、端末がどのような情報をフィードバックすべきであるかに対するＰＵＳＣＨ  ＣＳＩ報告モード（ＰＵＳＣＨ  ＣＳＩ  ｒｅｐｏｒｔｉｎｇ  ｍｏｄｅ）は、表５のように定義されることができる。この場合、端末が動作するＰＵＳＣＨ  ＣＳＩ報告モードは、上位層シグナリング（ｈｉｇｈｅｒ  ｌａｙｅｒ  ｓｉｇｎａｌｉｎｇ）（すなわち、上位層メッセージ）を介して指示されることができる。
【０２１０】
【表５】
2020523855.tif 000039
【０２１１】
ＰＵＣＣＨは、ＰＵＳＣＨより１回に送信できるデータの量（すなわち、ペイロードサイズ（ｐａｙｌｏａｄ  ｓｉｚｅ））が小さいので、ＰＵＣＣＨの場合、送信ようとするＣＳＩ情報を１回に送信することが難しい可能性がある。これによって、各ＰＵＣＣＨ  ＣＳＩ報告モードに応じてＣＱＩ及びＰＭＩを送信する時点（例えば、サブフレーム）とＲＩを送信する時点が異なるように設定される。例えば、表４のＭｏｄｅ  １−０の場合、端末は、特定ＰＵＣＣＨ送信時点でＲＩのみを送信し、他のＰＵＣＣＨ送信時点で広帯域ＣＱＩ（ｗｉｄｅｂａｎｄ  ＣＱＩ）を送信する。
【０２１２】
また、ＰＵＣＣＨ報告類型（ＰＵＣＣＨ  ｒｅｐｏｒｔｉｎｇ  ｔｙｐｅ）は、特定ＰＵＣＣＨ送信時点に構成されるＣＳＩ情報の種類によって定義されることができる。例えば、ＲＩのみを送信する報告類型は、類型３（ｔｙｐｅ  ３）に該当し、広帯域ＣＱＩのみを送信する報告類型は、類型３（ｔｙｐｅ  ４）に該当する。ＲＩに対するフィードバック周期（ｆｅｅｄｂａｃｋ  ｐｅｒｉｏｄ）及びオフセット（ｏｆｆｓｅｔ）値とＣＱＩ／ＰＭＩに対するフィードバック周期及びオフセット値は、上位層シグナリング（すなわち、上位層メッセージ）を介して端末に指示（又は、設定）されることができる。
【０２１３】
前述したＣＳＩフィードバック情報は、アップリンク制御情報（Ｕｐｌｉｎｋ  Ｃｏｎｔｒｏｌ   Ｉｎｆｏｒｍａｔｉｏｎ：ＵＣＩ）に含まれる。
【０２１４】
ビーム参照信号（ｂｅａｍ  ｒｅｆｅｒｅｎｃｅ  ｓｉｇｎａｌ、ＢＲＳ）
【０２１５】
ビーム参照信号（ＢＲＳ）は、１つ又はそれ以上のアンテナポート（ｐ＝｛０、１、．．．、７｝上で送信される。
【０２１６】
ＢＲＳのシーケンスの生成に関して、参照信号のシーケンスｒｌ（ｍ）は、数式２によって定義される。
【０２１７】
【数２】
2020523855.tif 000040
【０２１８】
数式２において、ｌは０乃至１３で、ＯＦＤＭシンボルの番号を表す。また、ｃ（ｉ）は、擬似乱数シーケンス（ｐｓｅｕｄｏ−ｒａｎｄｏｍ  ｓｅｑｕｅｎｃｅ）を意味し、擬似乱数シーケンスの生成器は、各ＯＦＤＭシンボルの開始において数式３で初期化され得る。
【０２１９】
【数３】
2020523855.tif 000041
【０２２０】
ビーム補正参照信号（ｂｅａｍ  ｒｅｆｉｎｅｍｅｎｔ  ｒｅｆｅｒｅｎｃｅ  ｓｉｇｎａｌ）
【０２２１】
また、ビーム補正参照信号（ｂｅａｍ  ｒｅｆｉｎｅｍｅｎｔ  ｒｅｆｅｒｅｎｃｅ  ｓｉｇｎａｌ）に関して、ビーム補正参照信号は、８個のアンテナポート（ｐ＝６００乃至６０７）までのアンテナポートを介して送信される。
【０２２２】
ビーム補正参照信号のシーケンスの生成に関して、参照信号ｒｌ，ｎｓ（ｍ）は、数式４のように生成される。
【０２２３】
【数４】
2020523855.tif 000042
【０２２４】
数式４において、ｎｓは、無線フレーム内のスロットの番号を表し、ｌは、スロット内のＯＦＤＭシンボルの番号を表す。ｃ（ｎ）は、擬似乱数シーケンスを意味し、擬似乱数シーケンスの生成器は、各ＯＦＤＭシンボルの開始において数式５で初期化される。
【０２２５】
【数５】
2020523855.tif 000043
【０２２６】
数式５において、
2020523855.tif 000044
は、ＲＲＣシグナリングを介して端末に設定される。
【０２２７】
ＤＬ位相雑音補償参照信号（ＤＬ  Ｐｈａｓｅ  ｎｏｉｓｅ  ｃｏｍｐｅｎｓａｔｉｏｎ  ｒｅｆｅｒｅｎｃｅ  ｓｉｇｎａｌ）
【０２２８】
ｘＰＤＳＣＨ（すなわち、ＮＲシステムでサポートするＰＤＳＣＨ）と関連した位相雑音補償参照信号は、ＤＣＩフォーマットでのシグナリングを介して、アンテナポートｐ＝６０及び／又はｐ＝６１で送信される。また、位相雑音補償参照信号は、該当アンテナポートと関連したｘＰＤＳＣＨ送信に対してのみ存在（ｐｒｅｓｅｎｔ）及び／又は有効（ｖａｌｉｄ）であり、該当ｓＰＤＳＣＨがマッピングされた物理リソースブロック及びシンボルでのみ送信される。また、位相雑音補償参照信号は、ｘＰＤＳＣＨの割り当てに該当する全てのシンボルで同一である。
【０２２９】
位相雑音補償参照信号のシーケンスの生成に関して、参照信号のシーケンスｒ（ｍ）は、数式６によって定義される。
【０２３０】
【数６】
2020523855.tif 000045
【０２３１】
数式６において、ｃ（ｉ）は擬似乱数シーケンスを意味し、擬似乱数シーケンスの生成器は、各サブフレームの開始において数式７で初期化される。
【０２３２】
【数７】
2020523855.tif 000046
【０２３３】
数式７において、ｘＰＤＳＣＨ送信の場合、ｎＳＣＩＤはｘＰＤＳＣＨ送信と関連したＤＣＩフォーマットによって与えられ、特別な場合でなければ、０に設定される。
【０２３４】
また、３Ｄ−ＭＩＭＯ（３−ｄｉｍｅｎｓｉｏｎ  ｍｕｌｔｉｐｌｅ−ｉｎｐｕｔ  ｍｕｌｔｉｐｌｅ−ｏｕｔｐｕｔ）又はＦＤ−ＭＩＭＯ（Ｆｕｌｌ−ｄｉｍｅｎｓｉｏｎ  ｍｕｌｔｉｐｌｅ−ｉｎｐｕｔ  ｍｕｌｔｉｐｌｅ−ｏｕｔｐｕｔ）技術の場合、二次元平面アレイ構造（２−ｄｉｍｅｎｓｉｏｎａｌ  ｐｌａｎａｒ  ａｒｒａｙ  ｓｔｒｕｃｔｕｒｅ）を有するアクティブアンテナシステム（Ａｃｔｉｖｅ  Ａｎｔｅｎｎａ  Ｓｙｓｔｅｍ、ＡＡＳ）が利用され得る。
【０２３５】
図８は、本明細書で提案する方法が適用できる二次元平面アレイ構造を用いるＭＩＭＯシステムの一例を示す。
【０２３６】
二次元平面アレイ構造を通じて、多くの数のアンテナ要素（ａｎｔｅｎｎａ  ｅｌｅｍｅｎｔ）が可能な基地局形態の要素内でパッキング（ｐａｃｋｉｎｇ）されるだけでなく、三次元の空間における適応的なビームフォーミング（ａｄａｐｔｉｖｅ  ｅｌｅｃｔｒｏｎｉｃ）能力を提供することもできる。
【０２３７】
ＮＲシステムにおけるＣＳＩフレームワーク（ｆｒａｍｅｗｏｒｋ）
【０２３８】
ＮＲシステムのＭＩＭＯ設計に関連して、基地局と端末間のチャネル状態測定及び報告のためのＣＳＩフレームワーク（ＣＳＩ  ｆｒａｍｅｗｏｒｋ）が考慮されている。ＮＲシステムにおいて考慮されるＣＳＩフレームワークについて以下に具体的に説明する。
【０２３９】
ＣＳＩフレームワークは、レガシーＬＴＥシステムでＣＳＩ関連手続がＣＳＩプロセス（ＣＳＩ  ｐｒｏｃｅｓｓ）の形態のみで規定されていることとは異なり、ＣＳＩ報告設定（ＣＳＩ  ｒｅｐｏｒｔｉｎｇ  ｓｅｔｔｉｎｇ）、リソース設定（ｒｅｓｏｕｒｃｅ  ｓｅｔｔｉｎｇ）、及びＣＳＩ測定設定（ＣＳＩ  ｍｅａｓｕｒｅｍｅｎｔ  ｓｅｔｔｉｎｇ）を用いて、ＣＳＩ関連手続を規定することを意味し得る。これを通じて、ＮＲシステムでは、ＣＳＩ関連手続はチャネル及び／又はリソースの状況に合わせて、より柔軟な（ｆｌｅｘｉｂｌｅ）方式で行われ得る。
【０２４０】
すなわち、ＮＲシステムにおけるＣＳＩ関連手続に対する設定は、ＣＳＩ報告設定、リソース設定、及びＣＳＩ測定設定間の組み合わせによって定義され得る。
【０２４１】
例えば、端末は、Ｎ≧１個のＣＳＩ報告設定、Ｍ≧１個のリソース設定、及び１つのＣＳＩ測定設定でＣＳＩ取得のために設定され得る。ここで、ＣＳＩ測定設定は、Ｎ個のＣＳＩ報告設定と、Ｍ個のリソース設定間のリンク関係（ｌｉｎｋ）に対する設定情報を意味し得る。また、ここで、リソース設定は、参照信号設定（ＲＳ  ｓｅｔｔｉｎｇｓ）及び／又は干渉測定設定（Ｉｎｔｅｒｆｅｒｅｎｃｅ  Ｍｅａｓｕｒｅｍｅｎｔ  ｓｅｔｔｉｎｇｓ、ＩＭ  ｓｅｔｔｉｎｇｓ）を含む。
【０２４２】
図９は、本明細書で提案する方法が適用できるＮＲシステムで考慮されるＣＳＩフレームワーク（ＣＳＩ  ｆｒａｍｅｗｏｒｋ）の一例を示す。
【０２４３】
図９を参考すると、ＣＳＩフレームワークは、報告設定（Ｒｅｐｏｒｔｉｎｇ  ｓｅｔｔｉｎｇ）９０２、測定設定（Ｍｅａｓｕｒｅｍｅｎｔ  ｓｅｔｔｉｎｇ）９０４、及びリソース設定（Ｒｅｓｏｕｒｃｅ  ｓｅｔｔｉｎｇ）９０６に設定され得る。ここで、報告設定はＣＳＩの報告設定を意味し、測定設定はＣＳＩの測定設定を意味し、リソース設定はＣＳＩ−ＲＳのリソース設定を意味し得る。
【０２４４】
図９ではＣＳＩ−ＲＳリソースとして図示しているが、これに限定するのではなく、ＣＳＩ取得（ＣＳＩ  ａｃｑｕｉｓｉｔｉｏｎ）またはビーム管理（ｂｅａｍ  ｍａｎａｇｅｍｅｎｔ）のために利用可能なダウンリンク参照信号（ＤＬ  ＲＳ）に対するリソースに代替されることもできる。
【０２４５】
図９に示されたように、報告設定９０２は、Ｎ個の（Ｎ≧１）報告設定（例：Ｒｅｐｏｒｔｉｎｇ  ｓｅｔｔｉｎｇ  ｎ１、Ｒｅｐｏｒｔｉｎｇ  ｓｅｔｔｉｎｇ  ｎ２など）で構成され得る。
【０２４６】
また、リソース設定９０６は、Ｍ個の（Ｍ≧１）リソース設定（例：Ｒｅｓｏｕｒｃｅ  ｓｅｔｔｉｎｇ  ｍ１、Ｒｅｓｏｕｒｃｅ  ｓｅｔｔｉｎｇ  ｍ２、Ｒｅｓｏｕｒｃｅ  ｓｅｔｔｉｎｇ  ｍ３等）で構成され得る。ここで、各リソース設定は、Ｓ個の（Ｓ≧１）リソース集合（ｒｅｓｏｕｒｃｅ  ｓｅｔ）を含み得、各リソース集合は、Ｋ個の（Ｋ≧１）ＣＳＩ−ＲＳリソースを含み得る。
【０２４７】
また、測定設定９０４は、報告設定とリソース設定間のリンク（ｌｉｎｋ）関係及び該当リンクに対して設定された測定類型を示す設定情報を意味し得る。この場合、各測定設定は、Ｌ個の（Ｌ≧１）リンクを含み得る。例えば、測定設定は、Ｒｅｐｏｒｔｉｎｇ  ｓｅｔｔｉｎｇ  ｎ１とＲｅｓｏｕｒｃｅ  ｓｅｔｔｉｎｇ  ｍ１間のリンク（Ｌｉｎｋ  ｌ１）に対する設定情報、Ｒｅｐｏｒｔｉｎｇ  ｓｅｔｔｉｎｇ  ｎ１とＲｅｓｏｕｒｃｅ  ｓｅｔｔｉｎｇ  ｍ２間のリンク（Ｌｉｎｋ  ｌ２）に対する設定情報などを含み得る。
【０２４８】
このとき、Ｌｉｎｋ  ｌ１及びＬｉｎｋ  ｌ２の各々は、チャネル測定用リンク又は干渉測定用リンクのいずれかに設定され得る。のみならず、Ｌｉｎｋ  ｌ１及び／又はＬｉｎｋ  ｌ２は、レートマッチング（ｒａｔｅ  ｍａｔｃｈｉｎｇ）又は異なる用途に設定されることもある。
【０２４９】
この場合、１つのＣＳＩ測定設定内で１つ又はそれ以上のＣＳＩ報告設定がＬ１（Ｌａｙｅｒ  １）又はＬ２（Ｌａｙｅｒ  ２）のシグナリングを介して、動的に（ｄｙｎａｍｉｃａｌｌｙ）選択され得る。また、少なくとも１つのリソース設定から選択された１つ又はそれ以上のＣＳＩ−ＲＳリソース集合、及び少なくとも１つのＣＳＩ−ＲＳリソース集合から選択された１つ又はそれ以上のＣＳＩ−ＲＳリソースも、Ｌ１又はＬ２のシグナリングを介して動的に選択され得る。
【０２５０】
以下、ＮＲシステムで考慮されるＣＳＩフレームワークを構成するＣＳＩ報告設定、リソース設定（すなわち、ＣＳＩ−ＲＳリソース設定）、及びＣＳＩ測定設定について見る。
【０２５１】
ＣＳＩ報告設定（ＣＳＩ  ｒｅｐｏｒｔｉｎｇ  ｓｅｔｔｉｎｇ）
【０２５２】
まず、ＣＳＩ報告設定は端末が基地局に対して遂行するＣＳＩ報告の類型、該当ＣＳＩ報告に含まれる情報などを設定するための情報を意味することができる。
【０２５３】
例えば、ＣＳＩ報告設定は、時間領域の動作類型（ｔｉｍｅ−ｄｏｍａｉｎ  ｂｅｈａｖｉｏｒ  ｔｙｐｅ）、周波数細分性（ｆｒｅｑｕｅｎｃｙ  ｇｒａｎｕｌａｒｉｔｙ）、報告されるＣＳＩパラメータ（例：ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ））、ＣＳＩ類型（例：ＣＳＩ  Ｔｙｐｅ１または２）、コードブック部分集合制限（ｃｏｄｅｂｏｏｋ  ｓｕｂｓｅｔ  ｒｅｓｔｒｉｃｔｉｏｎ）を含むコードブック設定、測定制限（ｍｅａｓｕｒｅｍｅｎｔ  ｒｅｓｔｒｉｃｔｉｏｎ）設定などを含むことができる。
【０２５４】
本明細書で、時間領域の動作類型は非周期的（ａｐｅｒｉｏｄｉｃ）動作、周期的（ｐｅｒｉｏｄｉｃ）動作、または半−持続的（ｓｅｍｉ−ｐｅｒｓｉｓｔｅｎｔ）動作を意味することができる。
【０２５５】
このとき、ＣＳＩ報告設定に対する設定パラメータは上位層シグナリング（ｈｉｇｈｅｒ  ｌａｙｅｒ  ｓｉｇｎａｌｉｎｇ）（例：ＲＲＣシグナリング）を介して設定（または、指示）できる。
【０２５６】
また、前述したＣＳＩ報告設定と関連して３種類の周波数細分性に広帯域報告（ｗｉｄｅｂａｎｄ  ｒｅｐｏｒｔｉｎｇ）、部分帯域報告（ｐａｒｔｉａｌ  ｂａｎｄ  ｒｅｐｏｒｔｉｎｇ）、及びサブ帯域報告（ｓｕｂｂａｎｄ  ｒｅｐｏｒｔｉｎｇ）がサポートできる。
【０２５７】
リソース設定（ｒｅｓｏｕｒｃｅ  ｓｅｔｔｉｎｇ）
【０２５８】
次に、リソース設定は、ＣＳＩ測定及び報告のために利用するリソースを設定するための情報を意味し得る。例えば、リソース設定は、時間領域の動作類型、ＲＳの類型（例：ＮＺＰ  ＣＳＩ−ＲＳ（Ｎｏｎ−Ｚｅｒｏ  Ｐｏｗｅｒ  ＣＳＩ−ＲＳ）、ＺＰ  ＣＳＩ−ＲＳ（Ｚｅｒｏ  Ｐｏｗｅｒ  ＣＳＩ−ＲＳ）、ＤＭＲＳ等）、Ｋ個のリソースで構成されたリソース集合等を含み得る。
【０２５９】
前記で言及したように、各リソース設定は、１つ以上のリソース集合を含んでもよく、各リソース集合は、１つ以上のリソース（例：ＣＳＩ−ＲＳリソース）を含んでもよい。また、リソース設定は、チャネル測定及び／又は干渉測定のための信号に対する設定を含んでもよい。
【０２６０】
一例として、各リソース設定は、Ｓ個のリソース集合（例：ＣＳＩ−ＲＳリソース集合）に対する設定情報を含み、各リソース集合に対するＫ個のリソース）に対する設定情報も含み得る。このとき、各リソース集合は、端末に対して設定された全てのＣＳＩ−ＲＳリソースのプール（ｐｏｏｌ）から異なって選択された集合に該当し得る。また、各リソースに対する設定情報は、リソース要素へのマッピング、ポートの数、時間領域の動作類型等に関する情報を含み得る。
【０２６１】
或いは、別の例として、各リソース設定は、Ｓ個のＣＳＩ−ＲＳリソースに対する設定情報及び／又は各ＣＳＩ−ＲＳリソースに対して、同一であるか小さい数のポートのＫ個のＣＳＩ−ＲＳリソースに対する設定情報を含むこともある。
【０２６２】
このとき、Ｎ−ポートのＣＳＩ−ＲＳリソースのＣＳＩ−ＲＳ  ＲＥマッピングのパターンは、同一であるかさらに少ないポートの数（例：２、４、又は８）のＣＳＩ−ＲＳリソースの１つ又はそれ以上のＣＳＩ−ＲＳマッピングのパターンで構成され得る。ここで、ＣＳＩ−ＲＳ  マッピングのパターンはスロット内で定義され得、多数の設定可能な連続的／非連続的ＯＦＤＭシンボルにわたり得る（ｓｐａｎ）。
【０２６３】
この場合、リソース設定に対する設定パラメータは、上位層のシグナリング（例：ＲＲＣシグナリング）を介して設定され得る。
【０２６４】
また、各半−持続的リソース設定または周期的リソース設定の場合、周期性（ｐｅｒｉｏｄｉｃｉｔｙ）は設定情報に追加的に含まれることができる。
【０２６５】
ＣＳＩ測定設定（ＣＳＩ  ｍｅａｓｕｒｅｍｅｎｔ  ｓｅｔｔｉｎｇ）
【０２６６】
次に、ＣＳＩ測定設定は、端末がＣＳＩ報告のために特定のＣＳＩ報告設定とこれにマッピングされた特定のリソース設定に対してどんな測定を行うかを示す設定情報を意味し得る。すなわち、ＣＳＩ測定設定は、ＣＳＩ報告設定とリソース設定間のリンク関係に対する情報を含み、各リンク（ｌｉｎｋ）に対する測定類型を示す情報を含み得る。また、測定類型は、チャネル測定（ｃｈａｎｎｅｌ  ｍｅａｓｕｒｅｍｅｎｔ）、干渉測定（ｉｎｔｅｒｆｅｒｅｎｃｅ  ｍｅａｓｕｒｅｍｅｎｔ）、レートマッチング（ｒａｔｅ  ｍａｔｃｈｉｎｇ）等を意味し得る。
【０２６７】
一例として、ＣＳＩ測定設定は、ＣＳＩ報告設定を示す情報、リソース設定を示す情報、ＣＱＩの場合、基準送信方式（ｒｅｆｅｒｅｎｃｅ  ｔｒａｎｓｍｉｓｓｉｏｎ  ｓｃｈｅｍｅ）に対する設定を含み得る。これに関して、端末は、Ｌ≧１個のＣＳＩ測定設定をサポートし得、Ｌ値は、該当端末の能力に応じて設定され得る。
【０２６８】
このとき、１つのＣＳＩ報告設定は、１つ又はそれ以上のリソース設定に接続されてもよく、多数のＣＳＩ報告設定が同じリソース設定に対して接続されてもよい。
【０２６９】
この場合、ＣＳＩ測定設定に対する設定パラメータは、上位層のシグナリング（例：ＲＲＣシグナリング）を介して設定され得る。
【０２７０】
また、ＮＲシステムでは、ＣＳＩフィードバックのためのＺＰ（ｚｅｒｏ−ｐｏｗｅｒ）ＣＳＩ−ＲＳ基盤の干渉測定がサポートされる。また、ＣＳＩフィードバックのための干渉測定に対するＺＰ  ＣＳＩ−ＲＳに基づく非周期的干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）、半−持続的ＩＭＲ、及び周期的ＩＭＲがサポートできる。
【０２７１】
また、前述したＣＳＩ報告設定、リソース設定、及びＣＳＩ測定設定に関して、時間領域に動作類型による合意事項は次の通りである。
【０２７２】
まず、周期的ＣＳＩ−ＲＳの場合（すなわち、ＣＳＩ−ＲＳの送信が周期的に行われる場合）、半持続的ＣＳＩ報告は、ＭＡＣ  ＣＥ及び／又はダウンリンク制御情報（Ｄｏｗｎｌｉｎｋ  Ｃｏｎｔｒｏｌ  Ｉｎｆｏｒｍａｔｉｏｎ、ＤＣＩ）によって活性化（ａｃｔｉｖａｔｉｏｎ）／非活性化（ｄｅａｃｔｉｖａｔｉｏｎ）され得る。これと異なり、非周期的ＣＳＩ報告は、ＤＣＩによってトリガリングされ得、但し、この場合、ＭＡＣ  ＣＥに設定された追加的なシグナリングが必要であり得る。
【０２７３】
次に、半持続的ＣＳＩ−ＲＳの場合（すなわち、ＣＳＩ−ＲＳの送信が半持続的に行われる場合）、周期的ＣＳＩ報告はサポートされない。反面、半持続的ＣＳＩ報告は、ＭＡＣ−ＣＥ及び／又はＤＣＩによって活性化／非活性化され得、半持続的ＣＳＩ−ＲＳは、ＭＡＣ−ＣＥ及び／又はＤＣＩによって活性化／非活性化され得る。また、この場合、非周期的ＣＳＩ報告はＤＣＩによってトリガリングされ得、半持続的ＣＳＩ−ＲＳはＭＡＣ−ＣＥ及び／又はＤＣＩによって活性化／非活性化され得る。
【０２７４】
最後に、非周期的ＣＳＩ−ＲＳの場合（すなわち、ＣＳＩ−ＲＳの送信が非周期的に行われる場合）、周期的（及び半持続的）ＣＳＩ報告はサポートされない。反面、非周期的ＣＳＩ報告はＤＣＩによってトリガリングされ得、非周期的ＣＳＩ−ＲＳはＤＣ及び／又はＭＡＣ−ＣＥによってトリガリングされ得る。
【０２７５】
前述した内容及び合意事項を参考すると、ＮＲシステムではＣＳＩ報告と関連して３種類の時間−領域の動作類型をサポートすることができる。ここで、３種類の時間−領域の動作類型は非周期的（ａｐｅｒｉｏｄｉｃ）ＣＳＩ報告、半−持続的（ｓｅｍｉ−ｐｅｒｓｉｓｔｅｎｔ）ＣＳＩ報告、及び周期的（ｐｅｒｉｏｄｉｃ）ＣＳＩ報告を意味することができる。これと類似するように、ＮＲシステムは、（アナログ及び／又はデジタル）ビーム（ｂｅａｍ）と関連した報告に対して３種類の時間−領域の動作類型のうち、一部または全部をサポートすることができる。
【０２７６】
前述したように、非周期的ＣＳＩ報告は、トリガリングのときにのみ端末がＣＳＩ報告を行うことを意味し得る。また、半持続的ＣＳＩ報告は、当該報告が活性化される場合には端末がＣＳＩ報告を（特定周期に応じて）行い、非活性化される場合にはＣＳＩ報告を中断することを意味し得る。また、周期的ＣＳＩ報告は、端末が上位層シグナリング（例えば、ＲＲＣシグナリング）などを介して設定された周期及び時点（例えば、スロットオフセット（ｓｌｏｔ  ｏｆｆｓｅｔ））に応じてＣＳＩ報告を行うことを意味し得る。
【０２７７】
また、ＣＳＩ取得（ＣＳＩ  ａｃｑｕｉｓｉｔｉｏｎ）時、チャンネル測定のためのダウンリンク参照信号（ＤＬ  ＲＳ）の場合にも前述した３種類の時間−領域の動作類型（例：非周期的ＣＳＩ−ＲＳ、半−持続的ＣＳＩ−ＲＳ、周期的ＣＳＩ−ＲＳ）がサポートできる。これと類似するように、ビーム管理（ｂｅａｍ  ｍａｎａｇｅｍｅｎｔ）のためのＤＬ  ＲＳに対しても前述した３種類の時間−領域の動作類型の全部または一部がサポートできる。基本的に、ビーム管理のためのＤＬ  ＲＳにＣＳＩ−ＲＳが考慮されるが、他のＤＬ信号も利用できる。例えば、ビーム管理のためのＤＬ  ＲＳは、移動性ＲＳ（ｍｏｂｉｌｉｔｙ  ＲＳ）、ビームＲＳ（ｂｅａｍ  ＲＳ）、同期信号（Ｓｙｎｃｈｒｏｎｉｚａｔｉｏｎ  Ｓｉｇｎａｌ、ＳＳ）、ＳＳブロック（ＳＳ  ｂｌｏｃｋ）、ＤＬ  ＤＭＲＳ（例：ＰＢＣＨ  ＤＭＲＳ、ＰＤＣＣＨ  ＤＭＲＳ）などでありうる。
【０２７８】
前述したように、非周期的ＣＳＩ−ＲＳは、トリガリングのときにのみ端末がＣＳＩ−ＲＳに対する測定を行うことを意味し得る。また、半持続的ＣＳＩ−ＲＳは、当該ＣＳＩ−ＲＳが活性化される場合には端末がＣＳＩ−ＲＳに対する測定を（特定周期に応じて）行い、非活性化される場合にはＣＳＩ−ＲＳに対する測定を中断することを意味し得る。また、周期的ＣＳＩ−ＲＳは、端末が上位層シグナリング（例えば、ＲＲＣシグナリング）などを介して設定された周期及び時点（例えば、スロットオフセット（ｓｌｏｔ  ｏｆｆｓｅｔ））に応じてＣＳＩ−ＲＳに対する測定を行うことを意味し得る。
【０２７９】
また、前述したように、ＮＲシステムは、ＣＳＩ取得（ＣＳＩ  ａｃｑｕｉｓｉｔｉｏｎ）時、基地局が端末に指定する干渉測定リソース（ＩＭＲ）と関連して、ＺＰ  ＣＳＩ−ＲＳ基盤の干渉測定方式をサポートすることができる。また、前記干渉測定リソース（ＩＭＲ）と関連して、ＮＺＰ（ｎｏｎ−ｚｅｒｏ−ｐｏｗｅｒ）ＣＳＩ−ＲＳ基盤の干渉測定方式またはＤＭＲＳ基盤の干渉測定方式のうち、少なくとも１つがサポートできる。
【０２８０】
特に、ＬＴＥシステム（すなわち、レガシーＬＴＥシステム）ではＺＰ  ＣＳＩ−ＲＳ基盤のＩＭＲが半−静的（ｓｅｍｉ−ｓｔａｔｉｃ）に設定されたこととは異なり、ＮＲシステムでは動的にＺＰ  ＣＳＩ−ＲＳ基盤のＩＭＲを設定する方式がサポートできる。例えば、ＺＰ  ＣＳＩ−ＲＳ基盤の非周期的ＩＭＲ、半−持続的ＩＭＲ、及び／又は周期的ＩＭＲ方式が利用できる。
【０２８１】
したがって、ＣＳＩ測定及び報告のためのチャンネル推定（または、チャンネル測定）、干渉推定（または、干渉測定）、及び報告に対して多様な時間領域の動作類型の組合せが考慮できる。例えば、非周期的ＣＳＩ報告は、チャンネル測定のための非周期的／半−持続的／周期的ＮＺＰ  ＣＳＩ−ＲＳ及び干渉測定のための非周期的／半−持続的／周期的ＺＰ  ＣＳＩ−ＲＳと共に設定できる。他の例えば、半−持続的ＣＳＩ報告は、チャンネル測定のための半−持続的／周期的ＮＺＰ  ＣＳＩ−ＲＳ及び干渉測定のための半−持続的／周期的ＺＰ  ＣＳＩ−ＲＳと共に設定できる。更に他の例えば、周期的ＣＳＩ報告は、チャンネル測定のための周期的ＮＺＰ  ＣＳＩ−ＲＳ及び干渉測定のための周期的ＺＰ  ＣＳＩ−ＲＳと共に設定できる。
【０２８２】
本明細書で、「Ａ／Ｂ」はＡまたはＢを意味し、「／」の間には順序を変えた組合せも考慮できる。例えば、「Ａ／Ｂ及びＣ／Ｄ」は「Ａ及びＣ」、「Ａ及びＤ」、「Ｂ及びＣ」、または「Ｂ及びＤ」を意味することができる。
【０２８３】
前記例示で、非周期的ＲＳ及び／又はＩＭＲ（例：非周期的ＮＺＰ  ＣＳＩ−ＲＳ及び／又は非周期的ＺＰ  ＣＳＩ−ＲＳ）は非周期的報告のみに用いられ、半−持続的ＲＳ及び／又はＩＭＲ（例：半−持続的ＮＺＰ  ＣＳＩ−ＲＳ及び／又は半−持続的ＺＰ  ＣＳＩ−ＲＳ）は非周期的または半−持続的報告のみに用いられ、周期的ＲＳ及び／又はＩＭＲ（例：周期的ＮＺＰ  ＣＳＩ−ＲＳ及び／又は周期的ＺＰ  ＣＳＩ−ＲＳ）は全ての報告に用いられることと仮定された。但し、これに限定されるのではなく、多様な組合せ（例：非周期的ＲＳ及び／又はＩＭＲと共に設定された半−持続的報告）により設定できることが勿論である。
【０２８４】
また、前記ＲＳ及びＩＭＲは全てリソース設定（ｒｅｓｏｕｒｃｅ  ｓｅｔｔｉｎｇ）に含まれ、該当リソースの用途（例：チャンネル推定用、干渉推定用）であるかは測定設定（ｍｅａｓｕｒｅｍｅｎｔ  ｓｅｔｔｉｎｇ）で各リンクに対する設定を通じて指示できる。
【０２８５】
また、前述した非周期的ＣＳＩ報告がアップリンクデータチャネル（例えば、ＰＵＳＣＨ（Ｐｈｙｓｉｃａｌ  Ｕｐｌｉｎｋ  Ｓｈａｒｅｄ  Ｃｈａｎｎｅｌ））において行われる場合、次のような方式が考慮されることができる。
【０２８６】
まず、当該ＣＳＩ報告は、アップリンクデータチャネルを介して送信されるアップリンクデータ（ｕｐｌｉｎｋ  ｄａｔａ）と多重化されるように設定される。言い換えると、ＣＳＩ報告とアップリンクデータがアップリンクデータチャネルを介して一緒に送信される。
【０２８７】
または、アップリンクデータなしに、当該ＣＳＩ報告のみがアップリンクデータチャネルを介して送信されるように設定されることもある。
【０２８８】
このような方式は、アップリンクデータチャネルだけでなく、アップリンク制御チャネル（例えば、ＰＵＣＣＨ（Ｐｈｙｓｉｃａｌ  Ｕｐｌｉｎｋ  Ｃｏｎｔｒｏｌ  Ｃｈａｎｎｅｌ））の場合にも共通的に適用されることもできる。
【０２８９】
ＮＲシステムにおいては、２種類のアップリンク制御チャネル（例えば、ＰＵＣＣＨ）が考慮される。前記２種類のアップリンク制御チャネルは、それぞれ短いＰＵＣＣＨ（以下、ｓｈｏｒｔ  ＰＵＣＣＨ）及び長いＰＵＣＣＨ（以下、ｌｏｎｇ  ＰＵＣＣＨ）と呼んでもよい。
【０２９０】
ここで、ｓｈｏｒｔ  ＰＵＣＣＨは、時間軸には１つ又は２つのＯＦＤＭシンボルを占め、周波数軸には１つ又はそれ以上のＰＲＢ（Ｐｈｙｓｉｃａｌ  Ｒｅｓｏｕｒｃｅ  Ｂｌｏｃｋ）を利用して送信される。一例として、ｓｈｏｒｔ  ＰＵＣＣＨは、前述した自己完結型スロット（ｓｅｌｆ−ｃｏｎｔａｉｎｅｄ  ｓｌｏｔ）構造（例えば、図５）において主にダウンリンクデータ（ｄｏｗｎｌｉｎｋ  ｄａｔａ：ＤＬ  ｄａｔａ）に対する速いＡＣＫ／ＮＡＣＫフィードバック（ｆａｓｔ  ＡＣＫ／ＮＡＣＫ  ｆｅｅｄｂａｃｋ）用途（又は、目的）に設計され得る。
【０２９１】
それに対して、ｌｏｎｇ  ＰＵＣＣＨは、時間軸には４個又は１２個のＯＦＤＭシンボルを占め、周波数軸には１つ又はそれ以上のＰＲＢを利用して送信される。一例として、ｌｏｎｇ  ＰＵＣＣＨは、既存のＰＵＣＣＨ（例えば、ＬＴＥシステムにおけるＰＵＣＣＨ）に類似して端末別に特定リソースを占有してＡＣＫ／ＮＡＣＫ及び／又はＣＳＩフィードバックなどの用途に設計され得る。
【０２９２】
ここで、ｌｏｎｇ  ＰＵＣＣＨの最小シンボル数が４個であることは、ＮＲシステムにおいて多様なスロット構造が考慮されることに関連し得る。一例として、ＮＲシステムにおいて１個のスロットに含まれたＯＦＤＭシンボル数は１４個又は７個に設定される。
【０２９３】
また、スロット構造の場合にも、ダウンリンク（ＤＬ）及び／又はアップリンク（ＵＬ）用途だけでなく、ダウンリンク支配的（ＤＬ  ｄｏｍｉｎａｎｔ）構造又はアップリンク支配的（ＵＬ  ｄｏｍｉｎａｎｔ）構造などの様々な構造が考慮され得る。一例として、ダウンリンク支配的構造は、スロット内にＰＤＣＣＨ、ＰＤＳＣＨとｓｈｏｒｔ  ＰＵＣＣＨが共存する構造を意味し、アップリンク支配的構造は￥−、スロット内にＰＤＣＣＨとＰＵＳＣＨが共存する構造を意味し得る。
【０２９４】
また、同一のシンボル数を有するｓｈｏｒｔ  ＰＵＣＣＨ及び／又はｌｏｎｇ  ＰＵＣＣＨに対して多数のフォーマット（ｆｏｒｍａｔ）が定義され、各フォーマット別に送信できるペイロード（ｐａｙｌｏａｄ）のサイズが異なるように設定できる。例えば、多重化できる最大端末数又はチャネルコーディング方式などによって、複数のｓｈｏｒｔ  ＰＵＣＣＨフォーマット及び／又は複数のｌｏｎｇ  ＰＵＣＣＨフォーマットが定義される。
【０２９５】
前述したように、既存のＬＴＥ（−Ａ）システムでは非周期的ＣＳＩ報告（ａｐｅｒｉｏｄｉｃ  ＣＳＩ  ｒｅｐｏｒｔｉｎｇ）及び周期的ＣＳＩ報告（ｐｅｒｉｏｄｉｃ  ＣＳＩ  ｒｅｐｏｒｔｉｎｇ）がサポートされ、端末は、それぞれＰＵＳＣＨ及びＰＵＣＣＨを介してＣＳＩ報告を行うように設定される。ただし、前述した半持続的ＣＳＩ報告（ｓｅｍｉ−ｐｅｒｓｉｓｔｅｎｔ  ＣＳＩ  ｒｅｐｏｒｔｉｎｇ）は、既存のＬＴＥ（−Ａ）システムにおいてサポートされていなかった。
【０２９６】
これとは異なり、ＮＲシステムの場合、ＰＵＳＣＨ及び／又はＰＵＣＣＨを介する非周期的ＣＳＩ報告、周期的ＣＳＩ報告、及び半持続的ＣＳＩ報告が考慮され得る。一例として、ＮＲシステムの場合、端末は、ＰＵＳＣＨを介して非周期的ＣＳＩ報告を行うように設定される。
【０２９７】
この場合、既存のＬＴＥ（−Ａ）システムのように、ＮＲシステムにおいてもＰＵＳＣＨの用途（又は、目的）は次のように区分される。
【０２９８】
−  ＵＬデータの送信のみのためのＰＵＳＣＨ（以下、第１ＰＵＳＣＨ用途）
【０２９９】
−  ＵＬデータの送信とＣＳＩ報告のためのＰＵＳＣＨ（以下、第２ＰＵＳＣＨ用途）
【０３００】
−  ＣＳＩ報告のみのためのＰＵＳＣＨ（以下、第３ＰＵＳＣＨ用途）
【０３０１】
このように、ＰＵＳＣＨの用途は、当該チャネル（すなわち、アップリンクデータチャネル）に割り当てられた（又は、伝達される）情報の類型に応じて設定される。ここで、前記情報の類型は、当該チャネルにＣＳＩ報告が割り当てられるか、ＣＳＩ報告及びＵＬデータが割り当てられるか、又はＵＬデータが割り当てられるかによって分類される。すなわち、前記情報の類型は、「ＣＳＩ  ｒｅｐｏｒｔｉｎｇ  ｏｎｌｙ  ｔｙｐｅ」、「ＣＳＩ  ｒｅｐｏｒｔｉｎｇ＋ＵＬ  ｄａｔａ  ｔｒａｎｓｍｉｓｓｉｏｎ  ｔｙｐｅ」、又は「ＵＬ  ｄａｔａ  ｔｒａｎｓｍｉｓｓｉｏｎ  ｏｎｌｙ  ｔｙｐｅ」に区分される。
【０３０２】
一般に、ＰＵＳＣＨの割り当ての時、基地局は、当該ＰＵＳＣＨの用途が前述した３つの用途のうちどれに該当するかをダウンリンク制御情報（Ｄｏｗｎｌｉｎｋ  Ｃｏｎｔｒｏｌ  Ｉｎｆｏｒｍａｔｉｏｎ：ＤＣＩ）を介して指示することができる。
【０３０３】
一例として、ＰＵＳＣＨの用途は、ＰＵＳＣＨの割り当てのためのＤＣＩフォーマット０（ＤＣＩ  ｆｏｒｍａｔ  ０）とＤＣＩフォーマット４（ＤＣＩ  ｆｏｒｍａｔ  ４）のＣＳＩ要求フィールド（ＣＳＩ  ｒｅｑｕｅｓｔ  ｆｉｅｌｄ）とＵＬ  ＭＣＳフィールド（ＵＬ  Ｍｏｄｕｌａｔｉｏｎ  ａｎｄ  Ｃｏｄｉｎｇ  Ｓｃｈｅｍｅ  ｆｉｅｌｄ）の組み合わせにより指示されることができる。具体的に、ＣＳＩ要求フィールドにより非周期的ＣＳＩ報告がトリガリングされ、ＵＬ  ＭＣＳフィールドが「ＭＣＳ＝ｎｕｌｌ値」に該当するインデックスである場合は、第３ＰＵＳＣＨ用途を示すことであり得る。また、ＣＳＩ要求フィールドにより非周期的ＣＳＩ報告がトリガリングされてＵＬ  ＭＣＳフィールドが特定ＭＣＳを示す値である場合は、第２ＰＵＳＣＨ用途を示すことであり得る。また、ＣＳＩ要求フィールドにより非周期的ＣＳＩ報告がトリガリングされない場合は、第１ＰＵＳＣＨ用途を示すことであり得る。
【０３０４】
ＮＲシステムでもこのような方式が共通的に適用できることは言うまでもない。
【０３０５】
また、既存のＬＴＥ（−Ａ）システムの場合、ＰＵＳＣＨは、ＤＣＩ受信時点から固定されたタイミング（ｔｉｍｉｎｇ）で割り当てられた。例えば、端末がｎ番目のサブフレームにおいてＰＵＳＣＨの割り当てのためのＤＣＩを受信した場合、当該端末はｎ＋４番目のサブフレームにおいてＰＵＳＣＨを送信するように設定され得る。
【０３０６】
これとは異なり、ＮＲシステムの場合、ＰＵＳＣＨが割り当てられる時点（すなわち、ＰＵＳＣＨ送信タイミング）は、ＤＣＩなどにより動的に（ｄｙｎａｍｉｃａｌｌｙ）指示される。これによって、ＮＲシステムにおいてはより柔軟な（ｆｌｅｘｉｂｌｅ）ＰＵＳＣＨ送信が行われる。
【０３０７】
例えば、ＵＬ割り当て（ａｓｓｉｇｎｍｅｎｔ）と当該ＵＬデータ送信との間のタイミング（すなわち、タイミングオフセット）は複数の値のうちＤＣＩのフィールドにより指示され、前記複数の値は、上位層シグナリングを介して設定される。このような方式は、ＤＬ割り当てと当該ＤＬデータ送信との間のタイミング、ＤＬデータ受信と当該ＤＬデータに対するＡＣＫ／ＮＡＣＫ送信との間のタイミングにも共通的に適用できることは言うまでもない。
【０３０８】
これに関連して、ＮＲシステムにおいては、速いＣＳＩ取得（ｆａｓｔ  ＣＳＩ  ａｃｑｕｉｓｉｔｉｏｎ）のために、より柔軟なＣＳＩフィードバックタイミング（ＣＳＩ  ｆｅｅｄｂａｃｋ  ｔｉｍｉｎｇ）が考慮される。
【０３０９】
ここで、ＣＳＩ報告により伝達される情報は、当該情報の量又は要求される算出時間（ｃｏｍｐｕｔａｔｉｏｎ  ｔｉｍｅ）の側面を考慮すると、非常に多様に設定されることができる。例えば、ＣＳＩ報告情報にＰＭＩが含まれるか否か、ＰＭＩが報告されるときのＣＳＩ−ＲＳアンテナポート数、及び／又はコードブック類型（ｃｏｄｅｂｏｏｋ  ｔｙｐｅ）によって要求されるＣＳＩ算出量及び算出時間などが変わることがある。
【０３１０】
従って、各条件によってサポートされるＣＳＩ報告オフセット値（又は、当該値の範囲）が異なるように設定が可能であり、ＰＵＳＣＨ送信タイミングを設定するために、このようなＣＳＩ報告オフセット値が考慮される必要があり得る。ここで、ＣＳＩ報告オフセットは、端末がＣＳＩ報告を行うために要求される時間を意味し得る。一例として、ＣＳＩ報告オフセットは、スロット単位で設定（例えば、スロットオフセット）されることもある。または、ＣＳＩ報告オフセットは、スロット単位及び／又はシンボル単位で設定されることもある。
【０３１１】
特に、本明細書で提案する実施形態においては、ＰＵＳＣＨ送信タイミングの設定に関連して、非周期的ＣＳＩ報告オフセットを考慮する場合が仮定される。ここで、非周期的ＣＳＩ報告オフセットは、端末が非周期的ＣＳＩ報告を行うために要求される時間を意味する。
【０３１２】
以下、説明の便宜のために、前記非周期的ＣＳＩ報告オフセットは「Ｙ」という。ただし、本明細書で提案する実施形態は、非周期的ＣＳＩ報告オフセットだけでなく、周期的ＣＳＩ報告及び／又は半持続的ＣＳＩ報告に対しても共通的に適用できることは言うまでもない。
【０３１３】
また、前述したＰＵＳＣＨ送信タイミングを設定するために、ＣＳＩ報告オフセットだけでなく、ＵＬデータ送信のために要求されるオフセットも考慮される必要がある。これは、ＮＲシステムにおけるＰＵＳＣＨは、前述した第１ＰＵＳＣＨ用途（すなわち、ＵＬデータの送信のみのためのＰＵＳＣＨ）又は第２ＰＵＳＣＨ用途（すなわち、ＵＬデータの送信とＣＳＩ報告のためのＰＵＳＣＨ）に利用できるためである。
【０３１４】
ここで、ＵＬデータ送信のために要求されるオフセットは、端末がＰＵＳＣＨを介してＵＬデータを送信するために要求される時間を意味し、前述した第１ＰＵＳＣＨ用途のＰＵＳＣＨを送信するためのタイミングオフセットに該当し得る。一例として、ＵＬデータ送信のために要求されるオフセットは、スロット単位で設定（例えば、スロットオフセット）されることもある。または、ＵＬデータ送信オフセットは、スロット単位及びシンボル単位で設定されることもある。
【０３１５】
以下、説明の便宜のために、前記ＵＬデータ送信のために要求されるオフセットは「Ｚ」という。以下、本明細書で提案する実施形態において、Ｚ値の範囲は上位層シグナリング（すなわち、上位層メッセージ）を介して設定され、実際に適用するＺ値はＤＣＩにより指示される場合が仮定される。すなわち、Ｚに対する値（すなわち、Ｚ候補値）が上位層シグナリングを介して設定され、当該値のいずれか１つの値がＤＣＩにより指示されるように設定されることができる。
【０３１６】
本明細書は、前述した非周期的ＣＳＩ報告オフセット（すなわち、Ｙ）及びＵＬデータ送信のために要求されるオフセット（すなわち、Ｚ）を考慮して、ＰＵＳＣＨの３つの用途（すなわち、第１ＰＵＳＣＨ用途、第２ＰＵＳＣＨ用途及び第３ＰＵＳＣＨ用途）によってＰＵＳＣＨタイミング（すなわち、ＰＵＳＣＨ送信タイミング）を設定及び／又は指示するための方法を提案する。
【０３１７】
また、本明細書では、説明の便宜のために、本明細書で提案する実施形態はＰＵＳＣＨを基準に説明されるが、他のアップリンクチャネル（例えば、ＰＵＣＣＨ、ｓｈｏｒｔ  ＰＵＣＣＨ、ｌｏｎｇ  ＰＵＣＣＨなど）又はダウンリンクチャネル（例えば、ＰＤＣＣＨ、ＰＤＳＣＨ）にも拡張して適用できることは言うまでもない。
【０３１８】
また、以下に説明される実施形態は、説明の便宜のために区分されたものに過ぎず、ある実施形態の一部構成や特徴は他の実施形態に含まれることもでき、又は他の実施形態の対応する構成又は特徴と交替できることは言うまでもない。
【０３１９】
第１実施形態
【０３２０】
前述した第１ＰＵＳＣＨ用途及び第３ＰＵＳＣＨ用途の設定可能なＰＵＳＣＨタイミング値、最小値、及び／又は範囲（すなわち、最大値）を用途別に設定するか、定義する方法が考慮される。ここで、前述したようにＰＵＳＣＨタイミングは、端末がＰＵＳＣＨを送信するために要求される時間（例えば、スロット単位の時間）を意味し、（すなわち、ＰＵＳＣＨタイミングオフセットと呼ばれることもできる）。
【０３２１】
このとき、第２ＰＵＳＣＨ用途のＰＵＳＣＨタイミング値、最小値、最大値、及び／又は範囲に対する設定（ｃｏｎｆｉｇｕｒａｔｉｏｎ）は、次のような４つの方法の１つにより設定される。
【０３２２】
−  方法１：第３ＰＵＳＣＨ用途のＰＵＳＣＨタイミングに対する設定と同一に設定する方法
【０３２３】
−  方法２：第３ＰＵＳＣＨ用途のＰＵＳＣＨタイミングに関する情報によって設定する方法
【０３２４】
−  方法３：第１ＰＵＳＣＨ用途及び第３ＰＵＳＣＨ用途のＰＵＳＣＨタイミングに対する設定とは別途に設定する方法
【０３２５】
−  方法４：第１ＰＵＳＣＨ用途のＰＵＳＣＨタイミングに対する設定と第３ＰＵＳＣＨ用途のＰＵＳＣＨタイミングに対する設定を結合して設定する方法
【０３２６】
ＰＵＳＣＨがＣＳＩフィードバック用途として利用される場合（すなわち、第２ＰＵＳＣＨ用途及び／又は第３ＰＵＳＣＨ用途）、ＰＵＳＣＨタイミング値、最小値、及び／又は範囲は、ＣＳＩフィードバック情報の構成、ＣＳＩ−ＲＳアンテナポート数などに関連した特定条件によって予め規定されるか、ＣＳＩ報告設定（ＣＳＩ  ｒｅｐｏｒｔｉｎｇ  ｓｅｔｔｉｎｇ）別に設定されることもある。ここで、ＣＳＩ報告設定別に設定される場合、前述した条件による最小値要件を満足させる値（ら）に限定的に設定されることがある。
【０３２７】
例えば、ＣＳＩフィードバックにＰＭＩが含まれない場合、ＰＵＳＣＨタイミングのスロットオフセット最小値は「０」に設定される。または、ＣＳＩフィードバックにＮ−ｐｏｒｔ  ＣＳＩ−ＲＳ以下と関連したＰＭＩが含まれ、サブバンドＰＭＩが含まれない場合、ＰＵＳＣＨタイミングの最小値は「１」に設定される。それに対して、ＣＳＩフィードバックにＮ−ｐｏｒｔ  ＣＳＩ−ＲＳ以上と関連したＰＭＩが含まれ、サブバンドＰＭＩが含まれた場合、ＰＵＳＣＨタイミングの最小値は「２」に設定される。
【０３２８】
このような条件に関連した設定は、システム上に定義されるか、基地局が上位層メッセージを介して当該設定を端末に伝達することもできる。ここで、当該設定は、条件自体に対する設定及び／又は各条件に該当するＰＵＳＣＨタイミング値を意味し得る。また、基地局は、ＣＳＩ報告設定別に前述した最小値要件を満足させる値のうち特定値を選択して端末に設定することもできる。
【０３２９】
まず、方法１が適用される場合、第２ＰＵＳＣＨ用途と第３ＰＵＳＣＨ用途に対して、端末には同一の条件で同一のＰＵＳＣＨタイミング値、最小値、及び／又は範囲が設定（又は、指示）される。
【０３３０】
それとは異なり、方法２が適用される場合、第２ＰＵＳＣＨ用途と第３ＰＵＳＣＨ用途に対して、端末にはＰＵＳＣＨタイミング値、最小値、及び／又は範囲の相違点に関する内容が設定（又は、指示）される。
【０３３１】
例えば、前記第３ＰＵＳＣＨ用途のＰＵＳＣＨタイミングに関する情報は、設定可能なＰＵＳＣＨタイミングの最小値及び／又は最大値の遷移（ｓｈｉｆｔ）値に関する情報、又は追加／削除されるＰＵＳＣＨタイミング値に関する情報などに該当し得る。具体的に、第２ＰＵＳＣＨ用途のＰＵＳＣＨタイミングは、第３ＰＵＳＣＨ用途のＰＵＳＣＨタイミングを基準にＫ個のスロット又はシンボルが加えられた値（すなわち、Ｋスロット又はシンボル遅延）と設定されることができる。または、第２ＰＵＳＣＨ用途のＰＵＳＣＨタイミングは、「タイミングオフセット＝０」である場合を除いて第３ＰＵＳＣＨ用途のＰＵＳＣＨタイミングに従うように設定されることもできる。
【０３３２】
このような前記第３ＰＵＳＣＨ用途のＰＵＳＣＨタイミングに関する情報は、ＣＳＩ報告設定に共通（ｃｏｍｍｏｎ）に設定されるか、特定ＣＳＩ報告設定の集合（ｓｅｔ）別に設定される。
【０３３３】
それとは異なり、方法３が適用される場合、ＰＵＳＣＨの３つの用途に応じて、端末には別途のＰＵＳＣＨタイミング値、最小値、及び／又は範囲が設定（又は、指示）されることができる。
【０３３４】
特に、方法４が適用される場合、第１ＰＵＳＣＨ用途のＰＵＳＣＨタイミングに対する設定と第３ＰＵＳＣＨ用途のＰＵＳＣＨタイミングに対する設定の結合は、端末能力（ＵＥ  ｃａｐａｂｉｌｉｔｙ）によって次のような方法のうち１つにより定義される。
【０３３５】
まず、第２ＰＵＳＣＨ用途のためのＰＵＳＣＨタイミングの最小値を、設定可能なＺ値の最小値とＹ値の最小値のうち大きい値と決定する方式が考慮されることができる。例えば、ＰＵＳＣＨを介して非周期的ＣＳＩ報告及びＵＬデータ送信がともに行われる場合、当該ＰＵＳＣＨの送信タイミングの最小値は、非周期的ＣＳＩ報告オフセットの最小値とＵＬデータ送信のために要求されるオフセットの最小値のうち大きい値と設定されることができる。
【０３３６】
追加的に、第２ＰＵＳＣＨ用途のためのＰＵＳＣＨタイミングの最大値は、設定可能なＺ値の最大値とＹ値の最大値のうち小さい値と決定されることができる。
【０３３７】
当該方式に属する端末は、ＵＬデータに対するエンコード処理（ｅｎｃｏｄｉｎｇ  ｐｒｏｃｅｓｓｉｎｇ）とＣＳＩ算出処理（ＣＳＩ  ｃｏｍｐｕｔａｔｉｏｎ  ｐｒｏｃｅｓｓｉｎｇ）を並列的に実行できる端末を意味し得る。
【０３３８】
次に、第２ＰＵＳＣＨ用途のためのＰＵＳＣＨタイミングの最小値を、設定可能なＺ値の最小値とＹ値の最小値の和と決定する方式が考慮されることもできる。例えば、ＰＵＳＣＨを介して非周期的ＣＳＩ報告及びＵＬデータ送信がともに行われる場合、当該ＰＵＳＣＨの送信タイミングの最小値は、非周期的ＣＳＩ報告オフセットの最小値とＵＬデータ送信のために要求されるオフセットの最小値の和と設定されることができる。
【０３３９】
追加的に、第２ＰＵＳＣＨ用途のためのＰＵＳＣＨタイミングの最大値は、設定可能なＺ値の最大値とＹ値の最大値の和と決定されることができる。
【０３４０】
当該方式に属する端末は、ＵＬデータに対するエンコード処理とＣＳＩ算出処理を並列的に実行できない（すなわち、直列的に実行できる）端末を意味し得る。
【０３４１】
この場合、端末は、自分のＵＬデータ及び／又はＣＳＩ算出に対する処理能力を示す端末能力情報を基地局に報告する必要があり得る。
【０３４２】
前述したような方式の場合、ＣＳＩ報告に要求されるタイミングオフセットとＵＬデータの送信に要求されるタイミングオフセットの両方とも考慮するので、ＣＳＩ報告及びＵＬデータの送信のいずれか１つがドロップ（ｄｒｏｐ）されずに全て実行できるという長所がある。
【０３４３】
本実施形態で説明されているＰＵＳＣＨ用途に応じるＰＵＳＣＨタイミングのスロットオフセットに対する設定（又は、定義）は、以下に説明される実施形態に共通的に適用できる。すなわち、以下に説明される実施形態において、ＰＵＳＣＨ用途に応じてＰＵＳＣＨタイミングのスロットオフセットが設定（又は、定義）される場合が仮定できる。
【０３４４】
第２実施形態
【０３４５】
前述したように、ＮＲシステムの場合、ＵＬデータの送信のためのタイミングオフセット（すなわち、第１ＰＵＳＣＨ用途のＰＵＳＣＨ送信のためのタイミングオフセット、Ｚ）は、上位層シグナリングにより設定された範囲内でＤＣＩを介して動的に指示される。
【０３４６】
このとき、第２ＰＵＳＣＨ用途及び第３ＰＵＳＣＨ用途に対しては他のシグナリングメカニズム（例えば、ＭＡＣ−ＣＥ）が適用できるが、第１ＰＵＳＣＨ用途と同一のシグナリングメカニズム（すなわち、上位層シグナリングとＤＣＩの組み合わせ）を共通的に利用するように設定する方法が考慮されることもできる。これは、ＰＵＳＣＨは用途に関係なく同一の物理層チャネル（ｐｈｙｓｉｃａｌ  ｌａｙｅｒ  ｃｈａｎｎｅｌ）であり、ＰＵＳＣＨタイミング（すなわち、ＰＵＳＣＨ送信タイミング）に関連したＤＣＩのフィールド（ｆｉｅｌｄ）が定義できる点を考慮すると、効率的であり得る。
【０３４７】
このような点を考慮して、用途に関係なく同一のＤＣＩフィールドを介してＰＵＳＣＨタイミングを指示するものの、各ＤＣＩコード値（ＤＣＩ  ｃｏｄｅ  ｐｏｉｎｔ）が指示するＰＵＳＣＨタイミング値はＰＵＳＣＨの用途に応じて別途に設定する方法が考慮されることができる。すなわち、同一のＤＣＩコード値であっても、当該コード値が指示する対象（又は、内容）がＰＵＳＣＨ用途によって相異なるように設定できる。
【０３４８】
ここで、ＤＣＩコード値は、前記ＤＣＩフィールドが示す値を意味し得る。一例として、該当ＤＣＩフィールドが２ビットと設定される場合、ＤＣＩコード値は「００」、「０１」、「１０」、「１１」のうち１つであり得る。
【０３４９】
この場合、ＰＵＳＣＨ用途に応じるＤＣＩコード値とＰＵＳＣＨタイミング間のマッピング設定（例えば、マッピング表（ｍａｐｐｉｎｇ  ｔａｂｌｅ））は、システム上に予め定義されて固定的であるか、基地局が上位層シグナリングなど（例えば、ＲＲＣシグナリング、ＭＡＣ−ＣＥシグナリング）を介して当該マッピング設定を設定及び／又は更新することもできる。
【０３５０】
このとき、第２ＰＵＳＣＨ用途に対するマッピング設定は、第１ＰＵＳＣＨ用途又は第３ＰＵＳＣＨ用途のいずれか１つに応じるか、別途に設定（又は、指示）されることもできる。
【０３５１】
以下の表６は、ＰＵＳＣＨ用途に応じるＤＣＩコード値とＰＵＳＣＨタイミング間のマッピング表の一例を示す。
【０３５２】
【表６】
2020523855.tif 000047
【０３５３】
例えば、端末に第１ＰＵＳＣＨ用途のＰＵＳＣＨが割り当てられた場合、当該端末が受信したＰＵＳＣＨタイミングと関連したＤＣＩのフィールドのコード値が「０１」であることは、当該ＰＵＳＣＨに対するＰＵＳＣＨタイミング値が「Ｚ２」で指示されることを意味し得る。それとは異なり、端末に第３ＰＵＳＣＨ用途のＰＵＳＣＨが割り当らてられた場合、当該端末が受信したＰＵＳＣＨタイミングと関連したＤＣＩのフィールドのコード値が「０１」であることは、当該ＰＵＳＣＨに対するＰＵＳＣＨタイミング値が「Ｙ２」で指示されることを意味し得る。
【０３５４】
また、本実施形態において、第２ＰＵＳＣＨ用途及び第３ＰＵＳＣＨ用途のためのマッピング設定（例えば、ＲＲＣシグナリングによりマッピング表が設定される場合）又はマッピング設定により指示できるＰＵＳＣＨタイミングの範囲（例えば、ＭＡＣ−ＣＥによりマッピング表が設定される場合）は、各ＣＳＩ報告設定ごとに別途に上位層シグナリング（例えば、ＲＲＣシグナリング）を介して設定されることもできる。
【０３５５】
例えば、ｎ番目のＣＳＩ報告設定（ＣＳＩ  ｒｅｐｏｒｔｉｎｇ  ｓｅｔｔｉｎｇ  ♯ｎ）に対して、第２ＰＵＳＣＨ用途でサポートされるＰＵＳＣＨタイミング値の範囲と第３ＰＵＳＣＨ用途でサポートされるＰＵＳＣＨタイミング値の範囲がそれぞれ設定される。または、ｎ番目のＣＳＩ報告設定（ＣＳＩ  ｒｅｐｏｒｔｉｎｇ  ｓｅｔｔｉｎｇ  ＃ｎ）に対して、第２ＰＵＳＣＨ用途のＰＵＳＣＨタイミングと第３ＰＵＳＣＨ用途のＰＵＳＣＨタイミングとの間の関連性を示す情報がそれぞれ設定されることもできる。ここで、関連性を示す情報は、ＰＵＳＣＨタイミングの最小値及び／又は最大値の遷移値に関する情報、又は追加／削除されるＰＵＳＣＨタイミング値に関する情報などを含むことができる。
【０３５６】
また、本実施形態において、第２ＰＵＳＣＨ用途及び第３ＰＵＳＣＨ用途のためのマッピング設定又はマッピング設定を介して指示できるＰＵＳＣＨタイミングの範囲は、ＣＳＩフィードバック情報の構成、ＣＳＩ−ＲＳアンテナポート数などと関連した特定の条件によって予め定義されることもできる。
【０３５７】
例えば、第３ＰＵＳＣＨ用途のＰＵＳＣＨにおいてＣＳＩフィードバックにＰＭＩが含まれない場合、ＰＵＳＣＨタイミングを指示する３ビット（ｂｉｔ）ＤＣＩ（又は、３ビットＤＣＩフィールド）は、ＰＵＳＣＨタイミングオフセット０ないし７を指示するように設定されることができる。または、第３ＰＵＳＣＨ用途のＰＵＳＣＨにおいてＣＳＩフィードバックにＮ−ｐｏｒｔ  ＣＳＩ−ＲＳ以下と関連したＰＭＩが含まれ、サブバンドＰＭＩが含まれない場合、ＰＵＳＣＨタイミングを指示する３ビット（ｂｉｔ）ＤＣＩ（又は、３ビットＤＣＩフィールド）は、ＰＵＳＣＨタイミングオフセット１ないし８を指示するように設定されることもできる。または、第３ＰＵＳＣＨ用途のＰＵＳＣＨにおいてＣＳＩフィードバックにＮ−ｐｏｒｔ  ＣＳＩ−ＲＳ以下と関連したＰＭＩが含まれ、サブバンドＰＭＩが含まれた場合、ＰＵＳＣＨタイミングを指示する３ビット（ｂｉｔ）ＤＣＩ（又は、３ビットＤＣＩフィールド）は、ＰＵＳＣＨタイミングオフセット２ないし９を指示するように設定されることもできる。
【０３５８】
他の例として、第２ＰＵＳＣＨ用途のＰＵＳＣＨにおいてＣＳＩフィードバックにＰＭＩが含まれない場合、ＰＵＳＣＨタイミングを指示する３ビット（ｂｉｔ）ＤＣＩ（又は、３ビットＤＣＩフィールド）は、ＰＵＳＣＨタイミングオフセット１ないし８を指示するように設定されることができる。または、第２ＰＵＳＣＨ用途のＰＵＳＣＨにおいてＣＳＩフィードバックにＰＭＩが含まれる場合、ＰＵＳＣＨタイミングを指示する３ビット（ｂｉｔ）ＤＣＩ（又は、３ビットＤＣＩフィールド）は、ＰＵＳＣＨタイミングオフセット２ないし９を指示するように設定されることもできる。
【０３５９】
このように、ＰＵＳＣＨの用途及び／又は前述した特定条件によって、マッピング設定又はマッピング設定により指示できるＰＵＳＣＨタイミングの範囲が別途に設定又は定義されることができる。
【０３６０】
本実施形態で提案する方法の場合、共通的なＤＣＩフィールドを用いて様々なＰＵＳＣＨ用途のタイミングを指示することができるので、ＤＣＩオーバーヘッドが少なく、端末のブラインドデコーディングオーバーヘッドが減少できる効果がある。
【０３６１】
第３実施形態
【０３６２】
前述した第２実施形態では、少なくとも２つのマッピング設定（例えば、マッピング表）を介して単一ＤＣＩフィールド（すなわち、用途に関係なく共通的なＤＣＩフィールド）において相異なるＰＵＳＣＨタイミング（例えば、Ｙ値など）を指示する方法が提案された。
【０３６３】
これとは異なり、基地局が用途に関係なく共通的なマッピング設定（例えば、マッピング表）に基づいてＰＵＳＣＨタイミングを指示するものの、各用途に応じてＰＵＳＣＨタイミング値の範囲などが相異なるように設定（又は、定義）されることもできる。以下、当該方式について具体的に説明する。
【０３６４】
具体的に、ＰＵＳＣＨの用途に関係なく同一のＤＣＩフィールドを介してＰＵＳＣＨタイミング（すなわち、ＰＵＳＣＨ送信タイミング）を指示し、各ＤＣＩコード値（ＤＣＩ  ｃｏｄｅ  ｐｏｉｎｔ）が指示するＰＵＳＣＨタイミング値はＰＵＳＣＨの用途に関係なく共通的に設定する方法が考慮されることができる。
【０３６５】
この場合、サポートできるＰＵＳＣＨタイミング値又は範囲は、各ＰＵＳＣＨ用途及び／又はＣＳＩフィードバック情報の構成、ＣＳＩ−ＲＳアンテナポート数などに関連した特定条件によって、（上位層シグナリングを介して）相異なるように設定（又は、指示）されるか、特定規則に従って定義されることもできる。
【０３６６】
このとき、端末が指示されたＰＵＳＣＨ用途に対して予め定義された又は設定された条件を満足しないＰＵＳＣＨタイミング値が指示された場合、当該端末は、当該タイミングで割り当てられたＰＵＳＣＨを送信しないか、当該用途で利用しないこともある。
【０３６７】
または、この場合、当該端末は、ＰＵＳＣＨを指示された用途で利用するものの、指示されたＣＳＩ−ＲＳに基づいて測定されたＣＳＩ情報の代わりに、最近に報告したＣＳＩ情報と同一の情報、以前に受信したＣＳＩ−ＲＳのうちＣＳＩタイミング要求条件を満足させるＣＳＩ−ＲＳ時点（まで）での測定値に基づいて算出されたＣＳＩ情報、又はこのような状況で送信することが予め定義された値などを送信することもできる。例えば、前記予め定義された値は、Ｎｕｌｌ値、最も低いＣＱＩ値などを含む。また、当該端末は、ＰＵＳＣＨタイミングでエラーが発生したとの報告を基地局に行うこともできる。
【０３６８】
本明細書で提案する本実施形態において、前述したＤＣＩコード値とＰＵＳＣＨタイミング間のマッピング設定（例えば、マッピング表）は、予め定義された規則によって決定される。または、基地局が上位層シグナリングなど（例えば、ＲＲＣシグナリング、ＭＡＣ−ＣＥ）を介して当該マッピング設定を設定又は更新することもできる。
【０３６９】
また、端末は、基地局により割り当てられたＰＵＳＣＨが指示されることとは異なる用途として利用することもできる。
【０３７０】
例えば、端末がＰＵＳＣＨを第２ＰＵＳＣＨ用途で利用することの指示を受けたが、ＰＵＳＣＨタイミング値が第２ＰＵＳＣＨ用途に対して設定されたＰＵＳＣＨタイミングの値の範囲を外れる場合を仮定する。この場合、端末は、当該ＰＵＳＣＨリソースを第１ＰＵＳＣＨ用途（すなわち、ＵＬデータ送信のためのＰＵＳＣＨ）に利用しながら、ＣＳＩ報告を行わないか（すなわち、ドロップ（ｄｒｏｐ）するか）、他のアップリンクリソース（例えば、他のタイミングのＰＵＳＣＨ又はＰＵＣＣＨ）を介してＣＳＩ報告を行うように設定されることもできる。
【０３７１】
具体的に、端末にＰＵＳＣＨに対するリソース割り当て情報及びＰＵＳＣＨタイミングに関する情報とＣＳＩ報告トリガリングがともに（又は、同一スロットで）指示されたが、指示された情報がＣＳＩ報告タイミング（すなわち、ＣＳＩ送信タイミング）の要求条件を満足しない場合を仮定する。
【０３７２】
この場合、端末が該当ＰＵＳＣＨを第１ＰＵＳＣＨ用途にのみ送信すると、アップリンク制御情報であるＣＳＩ情報は、ＰＵＳＣＨにピギーバック（ｐｉｇｇｙｂａｃｋ）されずに、全てのＰＵＳＣＨリソースがＵＬデータ送信に利用されるように設定することができる。または、端末が該当ＰＵＳＣＨを第２ＰＵＳＣＨ用途として利用するものの、周期的ＣＳＩ−ＲＳ又は半持続的ＣＳＩ−ＲＳが設定された場合、当該端末は、ＣＳＩ報告タイミングの要求条件を満足するＣＳＩ−ＲＳの時点（まで）での測定値に基づいて算出されたＣＳＩ情報を送信することもできる。または、当該端末は、以前タイミングで報告したＣＳＩ情報を再び送信するか、このような状況で送信することが予め定義された値など（例えば、Ｎｕｌｌ値、最も低いＣＱＩ値など）を送信することもできる。
【０３７３】
本実施形態で説明される方法の場合、共通的なＤＣＩフィールドを介して様々なＰＵＳＣＨ用途のそれぞれのタイミングを指示できるので、端末のブラインドデコーディングオーバーヘッドが減少できるという長所がある。
【０３７４】
前述した第２実施形態及び第３実施形態では、共通的なＤＣＩフィールドを利用して全てのＰＵＳＣＨの用途のＰＵＳＣＨタイミングを設定又は指示する方法が提案された。
【０３７５】
それとは異なり、ＰＵＳＣＨ用途に応じて別途のシグナリングメカニズム又は別途のシグナリングを利用してＰＵＳＣＨタイミングを設定又は指示する方法が次の実施形態（第４実施形態ないし第６実施形態）のように考慮されることもできる。
【０３７６】
第４実施形態
【０３７７】
まず、ＰＵＳＣＨタイミングを指示するために設定されたＤＣＩを介してＵＬデータ送信のために要求されるタイミングオフセット（すなわち、Ｚ値）を指示し、上位層シグナリングを介してＣＳＩ報告オフセットの値又は範囲（例えば、非周期的ＣＳＩ報告オフセット、Ｙ値）を設定する方法が考慮されることができる。
【０３７８】
例えば、ＰＵＳＣＨに対するリソースの割り当て情報及び非周期的ＣＳＩ報告のトリガリングがＤＣＩを介して共に指示され、前述した２つの値（すなわち、指示されたＺ値と設定されたＹ値）が一致する場合、端末は指示されたタイミングのＰＵＳＣＨを第２ＰＵＳＣＨ用途として送信するように設定されることができる。すなわち、当該端末は、当該ＰＵＳＣＨを介してＣＳＩ報告及びＵＬデータ送信を行うことができる。
【０３７９】
このような動作は、指示されたＺ値が設定されたＹ値の範囲に含まれる場合にも共通的に適用されることができる。すなわち、指示されたＺ値が設定されたＹ値の範囲を満足する場合にも、前述した動作が同一に適用されることができる。
【０３８０】
他の例として、ＰＵＳＣＨに対するリソースの割り当て情報及び非周期的ＣＳＩ報告のトリガリングがＤＣＩを介して共に指示されたが、前述した２つの値が一致しない場合、端末は、指示されたタイミングのＰＵＳＣＨを第１ＰＵＳＣＨ用途として送信するように設定されることができる。すなわち、当該端末は、当該ＰＵＳＣＨを介してＵＬデータの送信のみを行うことができる。
【０３８１】
または、この場合、端末は、指示されたタイミングのＰＵＳＣＨを第２ＰＵＳＣＨ用途として送信するものの、指示されたＣＳＩ−ＲＳに基づいて測定されたＣＳＩ情報の代わりに、最近に報告したＣＳＩ情報と同一の情報、以前に受信したＣＳＩ−ＲＳのうちＣＳＩタイミング要求条件を満足させるＣＳＩ−ＲＳの時点（まで）での測定値に基づいて算出されたＣＳＩ情報、又はこのような状況で送信することが予め定義された値（例えば、Ｎｕｌｌ値、最も低いＣＱＩ値）などを送信することもできる。
【０３８２】
このような動作は、指示されたＺ値が設定されたＹ値の範囲を外れる場合にも共通的に適用されることができる。すなわち、指示されたＺ値が設定されたＹ値の範囲を満足しない場合にも前述した動作が同一に適用されることができる。例えば、指示されたタイミングオフセットが、ＣＳＩ報告及びＵＬデータ送信の両方ともを処理するには不十分である場合、前述した動作が適用されることができる。
【０３８３】
ここで、端末は、基地局により指示されたＣＳＩ報告を次のような方法１ないし方法３のいずれか１つによって処理することができる。
【０３８４】
方法１
【０３８５】
まず、端末は、基地局により指示されたＣＳＩ報告を無視することができる。すなわち、当該端末は、基地局により指示されたＣＳＩ報告を行わずに割り当てられたＵＬデータの送信及び／又は指示されないＣＳＩ報告のみを行うこともできる。
【０３８６】
この場合、端末は、上位層シグナリングで予め設定された非周期的ＣＳＩ報告に関する設定情報をリセットすることなく、継続して維持しながらＣＳＩ報告トリガリングＤＣＩの再送信を待つように設定されることもできる。
【０３８７】
方法２
【０３８８】
また、端末は、別途に割り当てられたＰＵＳＣＨを介して、基地局により指示されたＣＳＩ報告を行うこともできる。言い換えると、当該端末は、以前に基地局により割り当てられたＰＵＳＣＨの代わりに、追加で割り当てられたＰＵＳＣＨを介してＣＳＩフィードバックを送信することもできる。
【０３８９】
ここで、追加で割り当てられたＰＵＳＣＨは、以前に指示されたＰＵＳＣＨのリソース割り当て情報を共有するように設定されることができる。この場合、当該端末は、Ｚスロット以後とＹスロット以後に、同一の周波数リソースによりＵＬデータの送信とＣＳＩ報告をそれぞれ行うことができる。
【０３９０】
これとは異なり、追加で割り当てられたＰＵＳＣＨのためのリソース割り当て情報が、以前に指示されたＰＵＳＣＨのリソース割り当て情報とは別に設定されることもできる。この場合、ＣＳＩ報告のためのリソース割り当て情報も上位層シグナリングを介して指示されることができる。または、ＵＬデータを割り当てるＤＣＩに、追加で割り当てられたＰＵＳＣＨのためのリソース割り当て情報を指示するための別途のフィールドが設定されることもある。または、追加で割り当てられたＰＵＳＣＨのためのリソース割り当て情報は、ＵＬデータを割り当てるＤＣＩではなく、別途のＤＣＩを介して指示されることもできる。
【０３９１】
方法３
【０３９２】
また、端末は、別途に割り当てられたＰＵＣＣＨを介して、基地局により指示されたＣＳＩ報告を行うこともできる。言い換えると、当該端末は、以前に基地局により割り当てられたＰＵＳＣＨの代わりに、追加で割り当てられたＰＵＣＣＨを介してＣＳＩフィードバックを送信することもできる。
【０３９３】
ここで、Ｙ値の範囲が上位層シグナリングを介して設定された場合、端末は、設定されたタイミングオフセットの範囲内の利用可能なＰＵＣＣＨリソース（ら）のうち最も早い時点のＰＵＣＣＨリソースにおいて（又は、ＰＵＣＣＨリソースから）ＰＵＣＣＨを送信するように設定されることがある。
【０３９４】
これとは異なり、１つのＹ値が上位層シグナリングを介して設定された場合、端末は、当該タイミングオフセットのＰＵＣＣＨリソースにおいて（又は、ＰＵＣＣＨリソースから）ＰＵＣＣＨを送信するように設定されることができる。または、この場合、端末は当該タイミングオフセットを基準に最も近い時点に位置する利用可能なＰＵＣＣＨリソースにおいて（又は、ＰＵＣＣＨリソースから）ＰＵＣＣＨを送信することもできる。
【０３９５】
ここで、前記利用可能なＰＵＣＣＨリソースは、当該スロットに設定された（又は、割り当てられた）ＰＵＣＣＨリソースの存在有無だけでなく、ＰＵＣＣＨの時間／周波数／シーケンスリソースが当該ＣＳＩ報告を送信するのに十分であるか否かを考慮して決定できる。この場合、当該ＣＳＩ報告を１回又は多数回に分けて送信するのに十分であるか否かも追加的に考慮されることができる。
【０３９６】
ここで、割り当てられたＰＵＣＣＨリソースが特定ＣＳＩ報告を送信するのに十分であるか否かは、ＣＳＩフィードバック情報の構成及び情報量、アップリンク制御情報のコーディング率（ＵＣＩ  ｃｏｄｉｎｇ  ｒａｔｅ）などによってサポートされるＰＵＣＣＨリソース、フォーマット又はタイプ（例えば、ｓｈｏｒｔ  ＰＵＣＣＨ 及びＰＵＣＣＨ）の連関関係によって決定されることができる。この場合、前記連関関係に関する情報は、システム上に規定されるか、基地局により上位層シグナリングなどを介して設定されることもできる。
【０３９７】
また、前記利用可能なＰＵＣＣＨリソースが要求されるＣＳＩ報告情報を１回で送信するのに不足している場合、端末は、多数のＰＵＣＣＨリソースを介してＣＳＩ報告情報を分けて送信することもできる。このとき、前記多数のＰＵＣＣＨリソースは、連続したスロット（ｓｌｏｔ）又は予め設定された（又は、定義された）周期によって設定されることができる。この場合、前記多数のＰＵＣＣＨリソースを設定するために前述した条件に満足するか否かが共に考慮されることもできる。
【０３９８】
本実施形態で説明される方法の場合、Ｚ値及びＹ値を考慮して端末のＵＬデータの送信実行の可否及びＣＳＩ報告の可否が決定されるので、ＰＵＳＣＨ送信に関連した端末のオーバーヘッドが低減することがあり、ＣＳＩ報告及びＵＬデータの送信のいずれか１つが意図せずドロップされることが防止できる。
【０３９９】
第５実施形態
【０４００】
前述とは異なり、ＰＵＳＣＨタイミングの設定のためのＵＬデータの送信のために要求されるオフセット（すなわち、Ｚ値）及び非周期的ＣＳＩ報告オフセット（すなわち、Ｙ値）は、ＤＣＩを介してそれぞれ指示され、それに関連するＰＵＳＣＨに対するリソース割り当て情報は、共有されるか別途に指示するように設定する方法が考慮されることもできる。
【０４０１】
具体的に、ＵＬデータの送信及びＣＳＩ報告に対してＰＵＳＣＨに関するリソース割り当て情報が互いに共有される場合、端末は、Ｚスロット以後とＹスロット以後に同一の周波数リソースを介してＵＬデータの送信とＣＳＩ報告をそれぞれ行うことができる。
【０４０２】
または、ＵＬデータの送信及びＣＳＩ報告に対してＰＵＳＣＨに対するリソース割り当て情報が別途に指示される場合、端末は、ＵＬデータの送信のためのＰＵＳＣＨのリソース割り当て情報の値が指示する周波数リソースにおいて、Ｚスロット以後にＵＬデータを送信することができる。また、当該端末は、ＣＳＩ報告のためのＰＵＳＣＨのリソース割り当て情報の値が指示する周波数リソースにおいてＺスロット以後にＵＬデータを送信することができる。
【０４０３】
または、ＤＣＩを介して指示されたＺ値とＹ値が同一であるか、いずれか１つの値が省略された場合、端末は、１つのＰＵＳＣＨにおいてＣＳＩ報告とＵＬデータ送信をともに行うこともできる。言い換えると、この場合、当該端末は、第２ＰＵＳＣＨ用途のＰＵＳＣＨを送信するように設定されることができる。
【０４０４】
第６実施形態
【０４０５】
または、前述と異なり、ＰＵＳＣＨタイミングの設定のためのＵＬデータの送信のために要求されるオフセット（すなわち、Ｚ値）及び非周期的ＣＳＩ報告オフセット（すなわち、Ｙ値）は、ＤＣＩを介してそれぞれ指示され、これに関連したＰＵＳＣＨに対するリソース割り当て情報は１つのみを指示するように設定する方法が考慮されることもできる。
【０４０６】
具体的に、指示されたＺ値とＹ値が同一であるか、いずれか１つの値が省略されるか、Ｚ値がＹ値より大きい場合、端末は、Ｚ値に該当するスロットにおいてリソース割り当てフィールドにより指示されるＰＵＳＣＨリソースを介してＣＳＩ報告及びＵＬデータの送信を行うように設定されることができる。この場合、当該ＣＳＩ報告及びＵＬデータの送信のためのＰＵＳＣＨは、第２ＰＵＳＣＨ用途に該当し得る。
【０４０７】
これとは異なり、指示されたＺ値とＹ値が異なるか、Ｚ値がＹ値より小さい場合、端末は、Ｚ値に該当するスロットにおいてリソース割り当てフィールドにより指示されるＰＵＳＣＨリソースを介してＵＬデータを送信し、Ｙ値に該当するスロットにおいてＰＵＳＣＨリソースを介してＣＳＩ報告を行うことができる。ここで、端末がＣＳＩ報告を行うＰＵＳＣＨリソースは、リソース割り当てフィールドにより指示されるか、上位層シグナリングを介して設定されることができる。
【０４０８】
また、ＣＳＩ報告オフセットに関連して予め定義された（又は、設定された）要求条件が常に満足される場合に限って、基地局がＰＵＳＣＨの周波数リソース及び時間リソースを指示しながら、ＣＳＩ報告をともに指示するように設定されることもできる。ここで、周波数リソースはリソース割り当て情報により指示され、時間リソースはタイミングオフセットにより指示される。
【０４０９】
この場合、端末は、常に保障されたＣＳＩ算出時間を利用できるので、当該端末は、予め定義された（又は、設定された）ＣＳＩ報告タイミングオフセットを外れるＣＳＩ報告指示を受けることを予想又は期待しないように設定できる。すなわち、端末がＰＵＳＣＨ又はＰＵＣＣＨを介するＣＳＩ報告を行うとき、当該端末は、予め設定されたＣＳＩ報告タイミングオフセットより短い時間内にＣＳＩ報告指示を受信することを期待しないように設定できる。
【０４１０】
これは、周期的ＣＳＩ報告及び／又はＣＳＩ報告にも拡張して適用でき、ＰＵＳＣＨだけでなくＰＵＣＣＨを介するＣＳＩ報告にも適用できることは言うまでもない。
【０４１１】
本発明の実施形態により、当該端末は、ＣＳＩ報告及びＵＬデータの送信を行う場合に十分な算出時間を確保できるという長所がある。
【０４１２】
図１０は、本明細書で提案する方法が適用できる無線通信システムにおいて、アップリンクチャネルを送信する端末の動作フローチャートを示す。図１０は、説明の便宜のためのものに過ぎず、本発明の範囲を制限することではない。
【０４１３】
図１０を参照すると、当該端末は、前述した本発明の実施形態で説明された方法によってＰＵＳＣＨチャネルを送信する場合が仮定される。ただし、図１０で説明される方式はＰＵＳＣＨだけでなく、ＰＵＣＣＨの送信にも共通的に適用されることができる。図１０の場合、端末は基地局からＣＳＩ報告及び／又はＵＬデータの送信の割り当て（又は、指示）を受けた場合が仮定される。また、図１０においてのＣＳＩ報告は、前述した非周期的ＣＳＩ報告でもあり得る。
【０４１４】
まず、端末は、基地局からＣＳＩ報告のための第１タイミングオフセット（例えば、前述したＣＳＩ報告オフセット、Ｙ値）及びＵＬデータの送信のための第２タイミングオフセット（例えば、前述したＵＬデータ送信に要求されるオフセット、Ｚ値）のうち少なくとも１つを指示する情報を受信することができる（Ｓ１００５）。
【０４１５】
例えば、前述した方法のように、第１タイミングオフセット及び第２タイミングオフセットは、ＤＣＩの同一のフィールドにおいて指示されることができる。言い換えると、Ｙ値とＺ値は同一のＤＣＩ（すなわち、同一ＤＣＩフォーマット）の同一のフィールドにより指示されることができる。
【０４１６】
ここで、当該フィールドのコード値は、アップリンクデータチャネルに割り当てられた情報の類型に応じて、第１タイミングオフセットに対する候補値のうち１つ又は第２タイミングオフセットに対する候補値のうち１つを指示することができる。この場合、第１タイミングオフセットに対する候補値及び第２タイミングオフセットに対する候補値のそれぞれは、上位層シグナリング（ｈｉｇｈｅｒ  ｌａｙｅｒ  ｓｉｇｎａｌｉｎｇ）を介して設定される。例えば、アップリンクデータチャネルに前記ＣＳＩ報告及び前記アップリンクデータが割り当てられる場合（すなわち、基地局から第２ＰＵＳＣＨ用途が指示された場合）、該当フィールドのコード値は、第１タイミングオフセットに対する候補値のうち１つ又は第２タイミングオフセットに対する候補値のうち１つにマッピングされることができる。
【０４１７】
次に、特定タイミングオフセットに応じて設定されたリソース領域（例えば、スロット及び／又はシンボル）において、端末は、アップリンクデータチャネル（例えば、ＰＳＵＣＨ）を基地局に送信できる（Ｓ１０１０）。ここで、特定タイミングオフセットは、アップリンクデータチャネルに割り当てられた情報の類型に応じて、第１タイミングオフセット及び第２タイミングオフセットの少なくとも１つを適用して設定されることができる。
【０４１８】
前述したように、アップリンクデータチャネルに割り当てられた情報の類型は、ＣＳＩ報告が割り当てられる第１類型（例えば、前述した第３ＰＵＳＣＨ用途）、ＣＳＩ報告及び前記アップリンクデータが割り当てられる第２類型（例えば、前述した第２ＰＵＳＣＨ用途）、及びアップリンクデータが割り当てられる第３類型（例えば、前述した第１ＰＵＳＣＨ用途）に分類される。
【０４１９】
ここで、前述したように、各類型別に、アップリンクデータチャネルの送信のための最小タイミングオフセット値がそれぞれ設定されることができる。
【０４２０】
特に、一例として、アップリンクデータチャネルにＣＳＩ報告及びアップリンクデータが割り当てられる場合、最小タイミングオフセット値は、前述した第１類型に対する最小タイミングオフセット値に特定値（例えば、２又は３）を加えて決定される。ここで、前述した特定タイミングオフセット値が端末に割り当てられたアップリンクデータチャネルに対する最小タイミングオフセット値を満足しない場合、当該端末は、次のように動作する。特定タイミングオフセット値が前記最小タイミングオフセット値より小さく設定される場合、ＣＳＩ報告がアップリンクデータチャネルを介して行わないことがある。または、特定タイミングオフセット値が最小タイミングオフセット値より小さいながら、第３類型に対する最小タイミングオフセット値よりは大きい場合、アップリンクデータのみをアップリンクデータチャネルを介して伝達されることもある。または、特定のタイミングオフセット値が最小タイミングオフセット値より小さい場合、端末により以前に報告されたＣＳＩがアップリンクデータチャネルを介して送信されることもある。
【０４２１】
また、第１タイミングオフセットは上位層シグナリングを介して設定され、第２タイミングオフセットはダウンリンク制御情報により指示されることもある（例えば、前述した第４実施形態）。ここで、アップリンクデータチャネルのリソース割り当て（ｒｅｓｏｕｒｃｅ  ａｌｌｏｃａｔｉｏｎ）及びＣＳＩ報告のトリガリング（ｔｒｉｇｇｅｒｉｎｇ）が同時に指示され、第２タイミングオフセットが示す範囲が第１タイミングオフセットが示す範囲に含まれる場合、前記アップリンクデータチャネルはＣＳＩ報告及びアップリンクデータを伝達するように設定される。または、アップリンクデータチャネルのリソース割り当て及びＣＳＩ報告のトリガリングが同時に指示され、第２タイミングオフセットが示す範囲が第１タイミングオフセットが示す範囲に含まれない場合、前記のアップリンクデータチャネルはアップリンクデータを伝達するように設定されることもある。
【０４２２】
本発明が適用できる装置一般
【０４２３】
図１１は、本発明の一実施形態による無線通信装置のブロック構成図を例示する。
【０４２４】
図１１を参照すると、無線通信システムは、基地局（又は、ネットワーク）１１１０と、端末１１２０とを含む。
【０４２５】
基地局１１１０は、プロセッサ（ｐｒｏｃｅｓｓｏｒ）１１１１、メモリ（ｍｅｍｏｒｙ）１１１２、及び通信モジュール（ｃｏｍｍｕｎｉｃａｔｉｏｎ  ｍｏｄｕｌｅ）１１１３を含む。
【０４２６】
プロセッサ１１１１は、前記図１乃至図１０で提案された機能、過程及び／又は方法を実現する。有／無線インタフェースプロトコルの層は、プロセッサ１１１１によって実現できる。メモリ１１１２は、プロセッサ１１１１と接続されて、プロセッサ１１１１を駆動するための様々な情報を格納する。通信モジュール１１１３はプロセッサ１１１１と接続され、有／無線信号を送信及び／又は受信する。
【０４２７】
前記通信モジュール１１１３は、無線信号を送／受信するためのＲＦ部（ｒａｄｉｏ  ｆｒｅｑｕｅｎｃｙ  ｕｎｉｔ）を含み得る。
【０４２８】
端末１１２０は、プロセッサ１１２１、メモリ１１２２及び通信モジュール（又は、ＲＦ部）１１２３を含む。プロセッサ１１２１は、前記図１乃至図１０で提案された機能、過程及び／又は方法を実現する。無線インタフェースプロトコルの層は、プロセッサ１１２１によって実現できる。メモリ１１２２は、プロセッサ１１２１と接続され、プロセッサ１１２１を駆動するための様々な情報を格納する。通信モジュール１１２３はプロセッサ１１２１と接続されて、無線信号を送信及び／又は受信する。
【０４２９】
メモリ１１１２、１１２２は、プロセッサ１１１１、１１２１の内部または外部にあってもよく、よく知られている様々な手段でプロセッサ１１１１、１１２１と接続されてもよい。
【０４３０】
また、基地局１１１０及び／又は端末１１２０は、１つのアンテナ（ｓｉｎｇｌｅ  ａｎｔｅｎｎａ）または多重アンテナ（ｍｕｌｔｉｐｌｅ  ａｎｔｅｎｎａ）を有し得る。
【０４３１】
図１２は、本発明の一実施形態による通信装置のブロック構成図を例示する。
【０４３２】
特に、図１２は、前記図１１の端末をより詳細に例示する図である。
【０４３３】
図１２を参照すると、端末は、プロセッサ（又は、デジタル信号プロセッサ（ＤＳＰ：ｄｉｇｉｔａｌ  ｓｉｇｎａｌ  ｐｒｏｃｅｓｓｏｒ）１２１０、ＲＦモジュール（ＲＦ  ｍｏｄｕｌｅ）（又は、ＲＦユニット）１２３５、パワー管理モジュール（ｐｏｗｅｒ  ｍａｎａｇｅｍｅｎｔ  ｍｏｄｕｌｅ）１２０５、アンテナ（ａｎｔｅｎｎａ）１２４０、バッテリ（ｂａｔｔｅｒｙ）１２５５、ディスプレイ（ｄｉｓｐｌａｙ）１２１５、キーパッド（ｋｅｙｐａｄ）１２２０、メモリ（ｍｅｍｏｒｙ）１２３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）  ｃａｒｄ）１２２５（この構成は選択的である）、スピーカ（ｓｐｅａｋｅｒ）１２４５、及びマイクロフォン（ｍｉｃｒｏｐｈｏｎｅ）１２５０を含んで構成され得る。端末はまた、単一のアンテナ又は多重のアンテナを含み得る。
【０４３４】
プロセッサ１２１０は、前記図１乃至図１１で提案された機能、過程及び／又は方法を実現する。無線インタフェースプロトコルの層は、プロセッサ１２１０によって実現できる。
【０４３５】
メモリ１２３０は、プロセッサ１２１０と接続され、プロセッサ１２１０の動作と関連した情報を格納する。メモリ１２３０は、プロセッサ１２１０の内部または外部にあってもよく、よく知られている様々な手段でプロセッサ１２１０と接続されてもよい。
【０４３６】
ユーザは、例えば、キーパッド１２２０のボタンを押すか（あるいはタッチするか）、またはマイクロフォン１２５０を用いた音声駆動（ｖｏｉｃｅ  ａｃｔｉｖａｔｉｏｎ）によって電話番号などのような命令情報を入力する。プロセッサ１２１０は、このような命令情報を受信し、電話番号で電話をかけるなど、適切な機能を行うように処理する。駆動上のデータ（ｏｐｅｒａｔｉｏｎａｌ  ｄａｔａ）は、ＳＩＭカード１２２５またはメモリ１２３０から抽出することができる。また、プロセッサ１２１０は、ユーザの認知及び便宜のために、命令情報または駆動情報をディスプレイ１２１５上に表示し得る。
【０４３７】
ＲＦモジュール１２３５は、プロセッサ１２１０に接続されて、ＲＦ信号を送信及び／又は受信する。プロセッサ１２１０は、通信を開始するために、例えば、音声通信データを構成する無線信号を送信するように命令情報をＲＦモジュール１２３５に伝達する。ＲＦモジュール１２３５は、無線信号を受信及び送信するために受信機（ｒｅｃｅｉｖｅｒ）及び送信機（ｔｒａｎｓｍｉｔｔｅｒ）で構成される。アンテナ１２４０は、無線信号を送信及び受信する機能をする。無線信号を受信するとき、ＲＦモジュール１２３５は、プロセッサ１２１０によって処理するために信号を伝達して、基底帯域に信号を変換し得る。処理された信号は、スピーカ１２４５を介して出力される可聴または可読情報に変換され得る。
【０４３８】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０４３９】
本発明による実施形態は、多様な手段、例えば、ハードウェア、ファームウエア（ｆｉｒｍｗａｒｅ）、ソフトウェア、またはそれらの結合などにより実現できる。ハードウェアによる実現の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより実現できる。
【０４４０】
ファームウエアやソフトウェアによる実現の場合、本発明の一実施形態は以上で説明された機能または動作を遂行するモジュール、手順、関数などの形態で実現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０４４１】
本発明は本発明の必須的な特徴を逸脱しない範囲で他の特定の形態に具体化できることは通常の技術者に自明である。従って、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０４４２】
本発明の無線通信システムにおいてアップリンクチャネルを送受信する方法は、３ＧＰＰ  ＬＴＥ／ＬＴＥ−Ａシステム、５Ｇに適用される例を中心に説明したが、その他にも多様な無線通信システムに適用可能である。
【図１】
2020523855.tif 000048
【図２】
2020523855.tif 000049
【図３】
2020523855.tif 000050
【図４】
2020523855.tif 000051
【図５】
2020523855.tif 000052
【図６（ａ）】
2020523855.tif 000053
【図６（ｂ）】
2020523855.tif 000054
【図７（ａ）】
2020523855.tif 000055
【図７（ｂ）】
2020523855.tif 000056
【図７（ｃ）】
2020523855.tif 000057
【図８】
2020523855.tif 000058
【図９】
2020523855.tif 000059
【図１０】
2020523855.tif 000060
【図１１】
2020523855.tif 000061
【図１２】
2020523855.tif 000062
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
無線通信システムにおいて端末がアップリンクチャネルを送信する方法であって、
基地局から、チャネル状態情報（ＣＳＩ）報告のための第１タイミングオフセット又はアップリンクデータの送信のための第２タイミングオフセットのうち少なくとも１つを表すダウンリンク制御情報を受信するステップと、
前記ダウンリンク制御情報により決定されるタイミングオフセット値に基づいて、アップリンクデータチャネルを前記基地局に送信するステップと、
を含み、
前記タイミングオフセット値は、前記アップリンクデータチャネルに割り当てられた情報の類型に応じて、前記第１タイミングオフセット又は前記第２タイミングオフセットのうち少なくとも１つを適用して設定される、方法。
【請求項２】
前記アップリンクデータチャネルに割り当てられた前記情報の類型は、ｉ）前記ＣＳＩ報告が割り当てられる第１類型、ｉｉ）前記ＣＳＩ報告及び前記アップリンクデータが割り当てられる第２類型、及びｉｉｉ）前記アップリンクデータが割り当てられる第３類型のうち少なくとも１つを含む、請求項１に記載の方法。
【請求項３】
前記第２類型に関連する前記アップリンクデータチャネルの送信に対する最小タイミングオフセット値は、前記第１類型に関連する前記アップリンクデータチャネルの送信に対する最小タイミングオフセット値に特定値を加えて決定される、請求項２に記載の方法。
【請求項４】
ｉ）前記第２類型に関連する前記アップリンクデータチャネルの送信の設定、及びｉｉ）前記第２類型に関連する前記アップリンクデータチャネルの送信に対する前記最小タイミングオフセット値より小さく設定される前記タイミングオフセット値に基づいて、前記ＣＳＩ報告が前記アップリンクデータチャネルを介して行われない、請求項３に記載の方法。
【請求項５】
ｉ）前記第２類型に関連する前記アップリンクデータチャネルの送信の設定、ｉｉ）前記第２類型に関連する前記アップリンクデータチャネルの送信に対する前記最小タイミングオフセット値より小さい前記タイミングオフセット値、及びｉｉｉ）前記第３類型に関連する前記アップリンクデータチャネルの送信に対する最小タイミングオフセット値より大きい前記タイミングオフセット値に基づいて、前記アップリンクデータのみが前記アップリンクデータチャネルを介して送信される、請求項３に記載の方法。
【請求項６】
ｉ）前記第２類型に関連する前記アップリンクデータチャネルの送信の設定、及びｉｉ）前記第２類型に関連する前記アップリンクデータチャネルの送信に対する前記最小タイミングオフセット値より小さい前記タイミングオフセット値に基づいて、前記端末により以前に報告されたＣＳＩが前記アップリンクデータチャネルを介して送信される、請求項３に記載の方法。
【請求項７】
前記第１タイミングオフセット及び前記第２タイミングオフセットは、前記ダウンリンク制御情報の同一のフィールドにより表される、請求項１に記載の方法。
【請求項８】
前記フィールドのコード値は、前記アップリンクデータチャネルに割り当てられた前記情報の類型に応じて、前記第１タイミングオフセットに対する候補値のうち１つ又は前記第２タイミングオフセットに対する候補値のうち１つを表す、請求項７に記載の方法。
【請求項９】
前記第１タイミングオフセットに対する候補値及び前記第２タイミングオフセットに対する候補値のそれぞれは、上位層シグナリングを介して設定される、請求項８に記載の方法。
【請求項１０】
前記アップリンクデータチャネルに割り当てられる前記ＣＳＩ報告及び前記アップリンクデータに基づいて、前記フィールドのコード値は、前記第１タイミングオフセットに対する候補値のうち１つ又は前記第２タイミングオフセットに対する候補値のうち１つにマッピングされる、請求項７に記載の方法。
【請求項１１】
前記ＣＳＩ報告のトリガリング及び前記アップリンクデータチャネルのリソース割り当てが同時に指示され、前記第２タイミングオフセットにより指示される範囲が前記第１タイミングオフセットにより指示される範囲に含まれる場合、前記アップリンクデータチャネルは、前記ＣＳＩ報告及び前記アップリンクデータを伝達する、請求項１に記載の方法。
【請求項１２】
前記ＣＳＩ報告のトリガリング及び前記アップリンクデータチャネルのリソース割り当てが同時に指示され、前記第２タイミングオフセットにより指示される範囲が前記第１タイミングオフセットにより指示される範囲に含まれない場合、前記アップリンクデータチャネルは、前記アップリンクデータを伝達する、請求項１に記載の方法。
【請求項１３】
無線通信システムにおいてアップリンクチャネルを送信する端末であって、
無線信号を送信及び受信するための送受信器と、
少なくとも１つのプロセッサと、
前記少なくとも１つのプロセッサと動作可能に接続される少なくとも１つのメモリと、
を含み、
前記少なくとも１つのプロセッサは、
基地局から、チャネル状態情報（ＣＳＩ）報告のための第１タイミングオフセット又はアップリンクデータの送信のための第２タイミングオフセットのうち少なくとも１つを表すダウンリンク制御情報を受信し、
前記ダウンリンク制御情報により決定されるタイミングオフセット値に基づいて、アップリンクデータチャネルを前記基地局に送信するように制御し、
前記タイミングオフセット値は、前記アップリンクデータチャネルに割り当てられた情報の類型に応じて、前記第１タイミングオフセット又は前記第２タイミングオフセットのうち少なくとも１つを適用して設定される、端末。
【請求項１４】
無線通信システムにおいてアップリンクチャネルを送信する装置であって、
少なくとも１つのプロセッサと、
前記少なくとも１つのプロセッサと動作可能に接続される少なくとも１つのメモリと、
を含み、
前記少なくとも１つのメモリは、前記少なくとも１つのプロセッサにより実行されるとき、
基地局から、チャネル状態情報（ＣＳＩ）報告のための第１タイミングオフセット又はアップリンクデータの送信のための第２タイミングオフセットのうち少なくとも１つを表すダウンリンク制御情報を受信し、
前記ダウンリンク制御情報により決定されるタイミングオフセット値に基づいて、アップリンクデータチャネルを前記基地局に送信することを含む動作を実行する命令を格納し、
前記タイミングオフセット値は、前記アップリンクデータチャネルに割り当てられた情報の類型に応じて、前記第１タイミングオフセット又は前記第２タイミングオフセットのうち少なくとも１つを適用して設定される、装置。
【国際調査報告】
2020523855.tif 000063
2020523855.tif 000064
2020523855.tif 000065
2020523855.tif 000066